(57)【要約】【課題】  消費電力、データ容量を削減するための生体情報検出端末制御システムを提供する。【解決手段】  生体情報検出端末２と接続された生体情報監視装置３側から前記生体情報検出端末２の制御を行う。特に、装着者に応じて生体情報検出端末２の備える生体情報検出センサ５のうち、常時駆動する第１の生体情報検出センサと、通常パワーセーブ状態にあるかあるいは断続的に計測する第２の生体情報検出センサを選択、決定して制御し、第１の生体情報検出センサからの異常信号をトリガとして、第２の生体情報検出センサを動作させる構成とすることで、低消費電力およびデータ容量の削減を実現し、前記通常パワーセーブ状態にある生体情報検出センサの動作状況を定期的に確認することで、システムの信頼性が向上した生体情報検出端末制御システムとする。【選択図】  図1
2004216125.tif 000002
【特許請求の範囲】
【請求項１】
少なくとも一つの生体情報検出センサを有し、前記生体情報検出センサが装着者の生体情報信号を検出し、生体情報データを生体情報監視装置に送信する手段を備えた生体情報検出端末と、
前記生体情報検出端末から送信された前記生体情報データを受信した後、一定時間前記生体情報データを前記生体情報監視装置内の記憶装置に保存し、公衆回線を介して前記生体情報データをホストサーバに送信する手段を有する前記生体情報監視装置と、
前記生体情報監視装置から前記生体情報データを受信した後、前記生体情報データを前記ホストサーバ内の記憶装置に保存し、または前記ホストサーバに直接、またはネットワークを介してOLE_LINK3接続されたOLE_LINK3表示装置に前記生体情報データを表示することを特徴とする前記ホストサーバとから構成される生体情報検出端末制御システムにおいて、
前記生体情報検出端末が生体情報信号を検出した後に、前記生体情報検出端末自身の動作を制御することを特徴とした生体情報検出端末制御システム。
【請求項２】
少なくとも一つの生体情報検出センサを有し、前記生体情報検出センサが装着者の生体情報信号を検出し、生体情報データを生体情報監視装置に送信する手段を備えた生体情報検出端末と、
前記生体情報検出端末から送信された前記生体情報データを受信した後、一定時間前記生体情報データを前記生体情報監視装置内の記憶装置に保存し、公衆回線を介して前記生体情報データをホストサーバに送信する手段を有する前記生体情報監視装置と、
前記生体情報監視装置から前記生体情報データを受信した後、前記生体情報データを前記ホストサーバ内の記憶装置に保存し、または前記ホストサーバに直接、またはネットワークを介して接続された表示装置に前記生体情報データを表示することを特徴とする前記ホストサーバとから構成される生体情報検出端末制御システムにおいて、
前記生体情報監視装置が前記生体情報検出端末から前記生体情報データを受信した後に、前記生体情報検出端末に対して前記生体情報検出端末の生体情報検出センサの駆動を制御する生体情報検出端末制御データを送信することを特徴とした生体情報検出端末制御システム。
【請求項３】
前記生体情報検出端末が、少なくとも１つの生体情報検出センサと、
前記生体情報検出センサから得られた生体アナログ信号を生体デジタル信号へ変換するＡ／Ｄ変換部と、
前記生体デジタル信号を加工して生体デジタル信号加工データを作成し、さらに前記生体デジタル信号の制御を行う生体デジタル信号制御部と、
前記装着者に固有の装着者識別情報、データ加工のための生体情報演算式、生体情報検出端末識別情報の少なくともいずれか１つからなるデータ構造を有するＲＯＭと、
前記生体デジタル信号あるいは前記生体デジタル信号加工データからなる生体デジタルデータを一定時間記憶するＲＡＭを備える第１のメモリ部と、
前記生体情報監視装置から受信した生体情報検出端末制御データかあるいは前記生体情報検出端末に前記装着者が設定した制御内容に基づいて生体情報検出センサ部を構成する前記各生体情報検出センサの駆動を制御する生体情報センサ制御部と、
前記生体情報監視装置とデータを送信または受信する生体情報データ送受信部と、
前記Ａ／Ｄ変換部と、前記第１のメモリ部と、前記生体デジタル信号制御部と、前記生体情報センサ制御部と、前記生体情報データ送受信部とを制御する第１の中央処理部とから構成されることを特徴とする請求項２に記載の生体情報検出端末制御システム。
【請求項４】
前記生体情報検出端末が、前記生体デジタルデータと予め設定されている値の範囲とを比較し、当該比較結果を出力する第１の生体情報データ判定部と、
該比較結果に基づいて、前記生体情報検出センサの駆動を制御する生体情報検出センサ制御部を有し、
前記生体情報検出センサ制御部が、前記生体情報監視装置から受信した生体情報検出端末制御データかあるいは前記第１の生体情報データ判定部からの判定値かあるいは前記装着者が設定した制御内容に基づいて前記各生体情報検出センサの駆動を制御することを特徴とする請求項３に記載の生体情報検出端末制御システム。
【請求項５】
前記生体情報検出端末の前記生体デジタル信号制御部は、前記生体デジタル信号に対してデータの加工を行う生体デジタルデータ加工機能を有し、
前記生体デジタルデータ加工機能により得られた生体デジタル信号加工データあるいは前記生体デジタル信号からなる生体デジタルデータを前記ＲＡＭに一定時間記憶し、あらかじめ決められたタイミングあるいは前記生体情報監視装置が送信したポーリング命令を受信したときに、前記生体デジタルデータか、前記装着者識別情報の少なくともいずれか一方からなる第１の正常時送信データを生体情報監視装置に送信する、通常時生体情報伝送機能を有することを特徴とした請求項４に記載の生体情報検出端末制御システム。
【請求項６】
前記生体情報検出端末は、前記第１の生体情報データ判定部において前記生体デジタルデータの値が予め設定された値の範囲外である場合、前記生体情報検出端末の前記第１の生体情報データ判定部から異常を示す異常信号が出力され、直ちに前記異常信号と前記装着者識別情報と前記生体デジタルデータとからなる第１の異常時送信データを前記生体情報監視装置に送信し、
前記生体デジタルデータの値が予め設定された値の範囲内である場合、前記異常時送信データを消去するか、あるいは前記ＲＡＭに一定時間記憶し、あらかじめ決められたタイミングあるいは前記生体情報監視装置が送信したポーリング命令を受信したときに、前記第１の正常時送信データを生体情報監視装置に送信する、異常時生体情報伝送機能を有することを特徴とする請求項５に記載の生体情報検出端末制御システム。
【請求項７】
前記生体情報検出端末が、通常時に駆動する、少なくとも一つの通常時駆動生体情報検出センサと、通常時は電源が供給されずにパワーセーブ状態にある、少なくとも一つのパワーセーブ生体情報検出センサにより構成されることを特徴とする請求項２に記載の生体情報検出端末制御システム。
【請求項８】
前記生体情報検出端末が、通常時に駆動する、少なくとも一つの通常時駆動生体情報検出センサと、通常時は断続的に駆動する状態にある、少なくとも一つの断続駆動生体情報検出センサにより構成されることを特徴とする請求項２に記載の生体情報検出端末制御システム。
【請求項９】
前記生体情報センサ制御部は、前記第１の生体情報データ判定部の出力値が前記異常出力値である場合に、前記パワーセーブ生体情報検出センサに電力を供給して駆動させることを特徴とする、請求項７に記載の生体情報検出端末制御システム。
【請求項１０】
前記生体情報センサ制御部は、前記第１の生体情報データ判定部の出力値が前記異常出力値である場合に、断続駆動生体情報検出センサの計測間隔、計測時間あるいはデータサンプリング周波数の少なくともいずれか１つ駆動方法で制御することを特徴とする、請求項８に記載の生体情報検出端末制御システム。
【請求項１１】
前記生体情報検出端末は、前記第１の生体情報データ判定部の出力結果に基づいて、前記生体情報センサから第１の生体情報検出センサを選択し、前記生体情報検出端末の前記生体情報データ送受信部を介して前記生体情報監視装置へ該選択結果を送信することを特徴とする請求項２に記載の生体情報検出端末制御システム。
【請求項１２】
前記生体情報検出端末が、押下することでセンサの動作制御を行うことができるコールボタンを備えたことを特徴とする請求項２に記載の生体情報検出端末制御システム。
【請求項１３】
前記生体情報検出端末は、前記生体情報検出センサが検出した前記生体情報信号に基づいて、前記生体情報監視装置に前記生体情報データを送信するか、あるいは前記生体情報検出端末自身の命令によって前記生体情報検出センサの駆動を制御することを特徴とした、請求項２に記載の生体情報検出端末制御システム。
【請求項１４】
前記生体情報検出端末の生体情報検出センサ部を構成するセンサのうち少なくとも１つ生体情報検出センサが、脈拍を検出するセンサであることを特徴とした、請求項２に記載の生体情報検出端末制御システム。
【請求項１５】
前記生体情報検出端末の生体情報検出センサ部を構成するセンサのうち少なくとも１つ生体情報検出センサが、血糖値あるいは血中グルコース濃度を検出するセンサであることを特徴とした、請求項２に記載の生体情報検出端末制御システム。
【請求項１６】
前記生体情報検出端末の生体情報検出センサ部を構成するセンサのうち少なくとも１つ生体情報検出センサが、前記装着者の運動状態を検出するセンサであることを特徴とした、請求項２に記載の生体情報検出端末制御システム。
【請求項１７】
前記生体情報監視装置は、前記生体情報検出端末との間で前記生体情報データを送受信するための第２の送受信部と、
前記生体情報検出センサ各々に関して受信した前記生体デジタルデータを加工して第２の生体デジタル信号加工データを作成する生体デジタル信号加工データ作成部と、
前記生体情報監視装置に固有の生体情報監視装置識別情報と、データ加工のための演算式、前記生体情報検出センサ各々に関して受信した前記生体情報データあるいは前記第２の生体情報加工データからなる第２の生体情報データについて予め設定された値の範囲と、前記生体情報検出端末のＲＯＭに記録される前記装着者識別情報から装着者を特定するためのテーブルの少なくともいずれか１つからなるデータ構造のデータを有するＲＯＭと、前記第２の生体情報データを一定時間保存するＲＡＭを備える第２のメモリ部と、
前記生体情報検出端末の制御方法を判定し、また前記生体情報検出端末が送信した第１の異常時送信データを受信したときに前記第２の生体情報データと前記ＲＯＭに保存された予め設定された値の範囲とを比較して判定する第２の生体情報データ判定部と、
前記第２の生体情報データ判定部の判定結果に基づいて前記生体情報検出端末を制御するための生体情報検出端末制御データを作成する第１の生体情報検出端末制御部と、
前記ホストサーバとの間を公衆回線で接続する為の第１の公衆回線接続部と、
前記第２の送受信部と、前記第２のメモリ部と、前記第２の判定部と、第２の信号制御部と、前記第１の生体情報検出端末制御部と、前記第１の公衆回線接続部とを制御する為の第２の中央処理部とから構成されることを特徴とする請求項２に記載の生体情報検出端末制御システム。
【請求項１８】
前記生体情報監視装置は、前記第２の生体情報データが前記第２の生体情報データ判定部により予め設定された値の範囲外と判定されたときは、前記第１の公衆回線接続部を介して前記ホストサーバへ、異常を示す信号および前記装着者識別情報と前記生体情報監視装置識別情報と前記第２の生体情報データとからなる第２の異常時送信データを前記生体情報検出端末に送信し、
さらに前記第２の生体情報データが前記第２の生体情報データ判定部により予め設定された値の範囲内と判定されたときは、前記ＲＡＭに一定時間前記第２の生体情報データを記憶し、予め決められたタイミングあるいは前記ホストサーバからのポーリング命令の受信に応じて前記ＲＡＭに前記保存された前記第２の生体情報データと、前記ＲＯＭに記録された前記装着者識別情報および前記生体情報監視装置識別情報からなる第２の正常時送信データを前記第１の公衆回線接続部を介して前記ホストサーバへ送信することを特徴とした請求項１７に記載の生体情報検出端末制御システム。
【請求項１９】
前記生体情報監視装置は、前記第２の生体情報データが前記第２の生体情報データ判定部により予め設定された値の範囲外と判定され、前記第２の異常時送信データが前記ホストサーバへ送信される場合、
前記第２の生体情報データ判定部は、異常を示す前記生体情報検出センサの種類、予め設定された値の範囲に対する前記第２の生体情報データの差分との少なくともいずれかを基準として異常レベルを決定する機能を有し、
前記生体デジタル信号加工データ作成部が該異常レベルに応じた異常信号を前記第２の異常時送信データに付加し、前記第２の送受信部が前記第２の異常時送信データを送信することを特徴とした、請求項１７に記載の生体情報検出端末制御システム。
【請求項２０】
前記第１の生体情報検出端末制御部は、前記第２の送受信部から受信した前記装着者識別情報をもとに、前記生体情報検出端末の備える前記生体情報検出センサのうち、前記第１の通常時駆動生体情報検出センサと、通常時は電源が供給されずにパワーセーブ状態にあるか、あるいは断続的に駆動する前記第２の生体情報検出センサを選択し決定する第１のセンサ決定手段と、前記センサ決定手段で決定された結果に基づいて、前記生体情報検出端末へ前記第２の異常時送信データを送信することを特徴とする請求項１７に記載の生体情報検出端末制御システム。
【請求項２１】
前記第１の生体情報検出端末制御部は、前記第２の送受信部が前記生体情報検出端末から前記第１の異常時送信データを受信すると、前記生体情報検出端末に備えられた前記通常時にパワーセーブ状態にある前記第２の生体情報検出センサの中から、駆動すべき前記生体情報検出センサを選択し、決定する第１の決定手段と、前記選択された前記第２の生体情報検出センサを動作させる信号を発生する前記第１の制御信号発生手段とを備えたことを特徴とする請求項１７に記載の生体情報検出端末制御システム。
【請求項２２】
前記第１の生体情報検出端末制御部は、前記第２の送受信部が前記生体情報検出端末から前記第１の異常時送信データを受信すると、前記生体情報検出端末内の通常時に断続的に駆動する前記第２の生体情報検出センサから計測間隔、計測時間あるいはデータサンプリング周波数の少なくともいずれか１つを変更すべき前記生体情報検出センサを選択、決定する第１の決定手段と、該第１の決定手段の結果に応じて、選択された前記第２の生体情報検出センサの計測間隔、計測時間あるいはデータサンプリング周波数の少なくともいずれか１つを変更する信号を発生する前記第１の制御信号発生手段とを備えたことを特徴とする請求項１７に記載の生体情報検出端末制御システム。
【請求項２３】
前記生体情報監視装置が、押下することでセンサの動作制御を行うことができるコールボタンを備えたことを特徴とする、請求項１７に記載の生体情報検出端末制御システム。
【請求項２４】
前記生体情報監視装置が、前記生体情報検出端末の検出した信号に応じてセンサの動作制御を行うことを特徴とした請求項２に記載の生体情報検出端末制御システム。
【請求項２５】
前記生体情報検出端末内の前記生体情報センサ制御部あるいは前記生体情報監視装置内の第１の生体情報検出端末制御部は、前記第１の生体情報検出センサの出力が予め設定された値の範囲外であると判定された場合に、前記第２の生体情報検出センサの計測間隔を通常時より短くするよう制御することを特徴とする、請求項２に記載の生体情報検出端末制御システム。
【請求項２６】
前記生体情報検出端末内の前記生体情報センサ制御部あるいは前記生体情報監視装置内の前記第１の生体情報検出端末制御部は、前記第１の生体情報検出センサの出力が予め設定された値の範囲外であると判定された場合に、前記第２の生体情報検出センサの計測時間を通常時より長くするように制御することを特徴とする、請求項２に記載の生体情報検出端末制御システム。
【請求項２７】
前記生体情報検出端末内の前記生体情報センサ制御部あるいは前記生体情報監視装置の備える第１の生体情報検出端末制御部は、前記第１の生体情報検出センサの出力が異常であると判定された場合に、前記第２の生体情報検出センサのデータサンプリング周波数を通常時より高くするように制御することを特徴とする、請求項２に記載の生体情報検出端末制御システム。
【請求項２８】
前記生体情報検出端末の備える前記生体情報検出センサ制御部あるいは前記生体情報監視装置の備える前記第１の生体情報検出端末制御部は、前記第１の判定部あるいは前記第２の判定部により前記第１の生体情報検出センサの出力が予め設定された値の範囲外と判定され、計測間隔、計測時間あるいはデータサンプリング周波数の少なくともいずれか１つが制御された前記第２の生体情報検出センサに対し、前記第１の生体情報検出センサの出力が再度予め設定された値の範囲内と判定された場合、前記第２の生体情報検出センサの制御を予め設定された基準の制御状態に戻すことを特徴とする請求項２に記載の生体情報検出端末制御システム。
【請求項２９】
前記第１の生体情報検出端末制御部は、定期的に前記生体情報検出端末内の前記各生体情報検出センサの故障状態あるいは駆動状態を確認する動作確認信号を発生する第１のセンサ動作確認信号発生手段と、
前記生体情報検出端末の備える前記生体情報検出センサ制御部が該動作確認信号に応じて前記各生体情報検出センサの故障状況あるいは駆動状況を確認して、送信するセンサ動作確認結果信号を受信した後に、前記生体情報検出センサ動作確認結果信号から前記センサの故障状況あるいは駆動状況を判定する第１の駆動状況判定手段を備えたことを特徴とした請求項２に記載の生体情報検出端末制御システム。
【請求項３０】
前記ホストサーバは、前記生体情報監視装置から送信される前記装着者識別情報と前記生体情報監視装置識別情報から装着者を特定するためのテーブルと前記ポーリングのタイミングとが予め記録されているＲＯＭと、前記生体情報監視装置から送信される第２の生体情報データを保存するＲＡＭを備える第３のメモリ部と、
前記生体情報監視装置から公衆回線を介して送信された第２の正常時送信データあるいは第２の異常時送信データを受信し、また前記生体情報監視装置に対して前記ホストサーバに備えられるＲＯＭに予め記録されているポーリングのタイミングでポーリング命令を送信するための第２の公衆回線接続部と、
前記生体情報監視装置から受信した前記第２の正常時送信データあるいは前記異常時送信データを表示するための表示部と、
前記生体情報監視装置から受信した前記第２の正常時送信データあるいは前記異常時送信データを第３のメモリ部に保存するか、前記表示部に表示するかを決定して信号を制御する第３の信号制御部と、
前記生体情報検出端末を制御するための信号を発生するための第２の生体情報検出端末制御部と、
前記第３のメモリ部と、前記第２の公衆回線接続部と、前記表示部と、前記第３の信号制御部と前記第２の生体情報検出端末制御部とを制御する為の第３の中央処理部とから構成されることを特徴とする請求項２に記載の生体情報検出端末制御システム。
【請求項３１】
前記第２の生体情報検出端末制御部は、前記第２の公衆回線接続部が受信した、前記生体情報監視装置固有の識別情報と前記装着者識別情報から、前記生体情報検出端末の備える前記生体情報検出センサのうち、通常時駆動する前記第１の生体情報検出センサと、通常時は電源が供給されずにパワーセーブ状態にあるか、あるいは断続的に駆動する前記第２の生体情報検出センサを決定する前記第２の決定手段と、前記生体情報検出端末へ直接に送信するか、あるいは前記生体情報監視装置へ送信される、センサ制御信号を発生する第２の制御信号発生手段とを備えたことを特徴とする請求項３０に記載の生体情報検出端末制御システム。
【請求項３２】
前記第２の生体情報検出端末制御部は、定期的に前記生体情報検出端末の備える前記各生体情報検出センサの故障状態あるいは駆動状態を確認する動作確認信号を発生する第２の生体情報検出センサ動作確認信号発生手段と、前記生体情報検出端末の備える前記生体情報検出センサ制御部が前記動作確認信号に応じて各生体情報検出センサの故障状況あるいは駆動状況を確認して、送信する生体情報検出センサ動作確認結果信号を受信した後に、前記生体情報検出センサ動作確認結果信号から該センサの故障状況あるいは駆動状況を判定する第２の駆動状況判定手段を備えたことを特徴とした請求項３１に記載の生体情報検出端末制御システム。
【請求項３３】
前記生体情報検出端末の備える前記第１の判定部あるいは前記生体情報監視装置の備える前記第２の判定部は、前記第１の生体情報検出センサからの出力信号が、予め設定された基準値範囲を超えた場合、あるいは前記生体情報検出センサからの前回の出力信号との差が予め設定された変動範囲を超えた場合に前記出力信号が異常であることを判定することを特徴とした、請求項３２に記載の生体情報検出端末制御システム。
【発明の詳細な説明】
【技術分野】
【０００１】
本発明は、平常時／異常時を問わず、日常生活中に利用者の生体情報を検出し、在宅健康管理や緊急通報に有用な生体情報検出端末制御システムに関するものである。
【背景技術】
【０００２】
従来から、在宅健康管理や緊急通報を目的としたシステムで、生体情報を検出する携帯端末と前記携帯端末から送信されるデータを受信して処理する生体情報監視装置と、前記生体情報監視装置から送信される生体情報や緊急信号を、公衆回線を介して外部のホストサーバで受信してデータの蓄積や緊急事態対応を行う構成が存在している。
【０００３】
例えば特許文献１に示される従来技術では、川や風呂に落ちたことを検知する水分吸収検知器Ａと、人体の転倒を検出する傾斜検知器Ｃと、人体表面の体温を測定して装着状態を検知する人体装着検知器Ｂと、前記水分吸収検知器Ａと、人体装着検知器Ｂの出力もしくは前記傾斜検知器Ｃと人体装着検知器Ｂの出力から異常を判断した時にのみ、人体の血中酸素測定装置を動作させて、測定した出力が異常である場合、電話回線を介してセキュリティーサービスへ通報する人体異常判断検知器と、を備えた人体異常検知通信端末が記載されている（特許文献１参照）。
【特許文献１】特開２００１−９３０６８号公報（第５−６頁、第１図）
【発明の開示】
【発明が解決しようとする課題】
【０００４】
しかしながら、人体異常判断検知器と人体異常検知通信端末が記載されているシステム（特許文献１）では、トリガとなる前記水分吸収検知器Ａ、前記人体装着検知器Ｂ、前記傾斜検知器Ｃと、前記トリガ信号を検知して前記血中酸素測定装置を動作させる制御信号を発生させる制御手段が同一端末として構成されているため、仮に異常時であっても前記血中酸素測定装置や前記制御手段の故障等の要因で出力が無信号あるいは正常値を示す場合は、前記セキュリティーサービスへ通報されず、システムの信頼性が低いという問題があった。
【０００５】
また装着者に装着される生体情報検出装置に接続される生体情報検出センサを全て常時駆動状態にすると、システムの信頼性は向上するが、消費電力やデータ容量が大きくなるので好ましくない。
【課題を解決するための手段】
【０００６】
そこで、本発明は、上述の課題を鑑みてなされたものであり、まず、生体情報検出センサで検出した生体情報に対してＡ／Ｄ変換を行って得られた生体デジタル信号あるいは、この生体デジタル信号に対してデータの加工を行って得られた第１の加工データからなる第1のデータを信号として一時保存あるいは外部へ送信する携帯型の生体情報検出端末と、この生体情報検出端末から送信された第1の送信データを受信して、この第1の送信データに含まれる第1のデータに対して加工を行って得られた第２の加工データあるいは前記生体デジタル信号からなる第２のデータを信号として一時的に保存あるいは公衆回線を介して外部へ送信する生体情報監視装置と、この生体情報監視装置から公衆回線を介して送信された第２の送信データを受信して、表示または保存するホストサーバとからなることを特徴とする生体情報検出端末制御システムを構成して、生体情報検出端末と生体情報監視装置との間が双方向通信であり生体情報監視装置が生体情報検出端末から受信した信号をトリガとして、生体情報検出端末の動作を制御する構成とした。これにより、本発明の生体情報検出端末制御システムでは、例えば生体情報監視装置側から生体情報検出端末に備えられたセンサの駆動状態を制御することができる。
【０００７】
前記第１の送信データは、前記第１のデータと生体情報検出端末に記録されている装着者に固有の識別情報の少なくともいずれか１つからなる第１の正常時送信データあるいは、前記第１のデータと、生体情報検出端末に記録されている装着者に固有の識別情報と、異常を示す信号とからなる第１の異常時送信データの、少なくともいずれかである。また前記第２の送信データは、同様に前記第２のデータと前記生体情報監視装置に記録されている装着者に固有の識別情報および装置の識別情報の少なくともいずれか１つからなる第２の正常時送信データあるいは、前記第２のデータと、生体情報監視装置に記録されている装着者に固有の識別情報と、装置の識別情報と、異常を示す信号とからなる第２の異常時送信データの、少なくともいずれか１つである。
【０００８】
さらに前記生体情報検出端末は、第１のデータの予め設定された値の範囲が記録されており、第１のデータが予め設定された値の範囲内の場合は一時保存するか、定期的に生体情報監視装置へデータを送信する前記通常時生体情報伝送機能と、その第１のデータが予め設定された値の範囲外の場合は直ちに外部へ連絡する異常時自動通報機能を搭載する構成とすることができる。
【０００９】
また、前記生体情報監視装置は、生体情報検出端末を制御する信号を発生する生体情報検出端末制御部を備えた構成として、生体情報検出端末が記録している装着者固有の識別情報を受信して、生体情報検出端末の備える生体情報検出センサから通常動作させる第１の生体情報検出センサと通常時にパワーセーブ状態か、あるいは断続的に駆動する第２の生体情報検出センサを選択して生体情報検出端末へ制御信号を発信することができる。
【００１０】
前記第１の生体情報検出センサと第２の生体情報検出センサの選択と発信は、前記生体情報検出端末が行っても良い。
【００１１】
さらに、前記生体情報監視装置は、生体情報検出端末が備え通常時駆動している第１のセンサからの出力が予め設定された値の範囲外であるときに、前記通常時はパワーセーブ状態にある第２の生体情報検出センサを駆動させる制御信号を生体情報検出端末へ発信することができる。または、前記第２の生体情報検出センサが通常時は断続的に駆動する場合、第１の生体情報検出センサからの出力が予め設定された値の範囲外であるときに前記生体情報監視装置が、前記第２の生体情報検出センサの計測間隔、計測時間、データサンプリング周波数を制御してもよい。
【００１２】
また、前記第１の生体情報検出センサと前記第２の生体情報検出センサの制御は、前記生体情報検出端末が行っても良い。
【００１３】
さらに、前記生体情報検出端末あるいは前記生体情報監視装置にはコールボタンが少なくとも１つ備えられており、該コールボタンを押すことをトリガとして、前記第１の生体情報検出センサと前記第２の生体情報検出センサの選択や、第２の生体情報検出センサの駆動状態の制御や計測の動作制御を行うこともできる。
【００１４】
さらに、前記生体情報監視装置は、生体情報検出端末が備える各センサの故障状態あるいは駆動状態を確認する動作確認信号を前記生体情報検出端末へ発信して、この動作確認信号を受信した生体情報検出端末は、故障状況あるいは駆動状態を確認して生体情報監視装置へ発信することができる。
【００１５】
また、前記第１の生体情報検出センサ、第２の生体情報検出センサを決定して生体情報検出端末を制御する制御信号、前記通常時駆動している第１の生体情報検出センサの出力により通常時パワーセーブ状態にあるか、あるいは断続的に駆動する第２の生体情報検出センサの駆動状態や計測の動作を決定して生体情報検出端末を制御する制御信号、および前記定期的に通常時パワーセーブ状態にあるか、あるいは断続的に駆動する第２の生体情報検出センサの故障状況、駆動状態を確認する制御信号は、ホストサーバから発信する構成とすることもできる。
【００１６】
また、上記課題を解決する本発明の第１の態様は、少なくとも一つの生体情報検出センサを有し、前記生体情報検出センサが装着者の生体情報信号を検出し、生体情報データを生体情報監視装置に送信する手段を備えた生体情報検出端末と、前記生体情報検出端末から送信された前記生体情報データを受信した後、一定時間前記生体情報データを前記生体情報監視装置内の記憶装置に保存し、公衆回線を介して前記生体情報データをホストサーバに送信する手段を有する前記生体情報監視装置と、前記生体情報監視装置から前記生体情報データを受信した後、前記生体情報データを前記ホストサーバ内の記憶装置に保存し、または前記ホストサーバに直接、またはネットワークを介して接続された表示装置に前記生体情報データを表示することを特徴とする前記ホストサーバとから構成される生体情報検出端末制御システムにおいて、前記生体情報検出端末が生体情報信号を検出した後に、前記生体情報検出端末自身の動作を制御することを特徴とする生体情報検出端末制御システムである
本発明の第２の態様は、少なくとも一つの生体情報検出センサを有し、前記生体情報検出センサが装着者の生体情報信号を検出し、生体情報データを生体情報監視装置に送信する手段を備えた生体情報検出端末と、前記生体情報検出端末から送信された前記生体情報データを受信した後、一定時間前記生体情報データを前記生体情報監視装置内の記憶装置に保存し、公衆回線を介して前記生体情報データをホストサーバに送信する手段を有する前記生体情報監視装置と、前記生体情報監視装置から前記生体情報データを受信した後、前記生体情報データを前記ホストサーバ内の記憶装置に保存し、または前記ホストサーバに直接、またはネットワークを介して接続された表示装置に前記生体情報データを表示することを特徴とする前記ホストサーバとから構成される生体情報検出端末制御システムにおいて、前記生体情報監視装置が前記生体情報検出端末から前記生体情報データを受信した後に、前記生体情報検出端末に対して前記生体情報検出端末の生体情報検出センサの駆動を制御する生体情報検出端末制御データを送信することを特徴とする生体情報検出端末制御システムである。
【００１７】
本発明の第３の態様は、第２の態様において、前記生体情報検出端末が、少なくとも１つの生体情報検出センサと、前記生体情報検出センサから得られた生体アナログ信号を生体デジタル信号へ変換するＡ／Ｄ変換部と、前記生体デジタル信号を加工して生体デジタル信号加工データを作成し、さらに前記生体デジタル信号の制御を行う生体デジタル信号制御部と、前記装着者に固有の装着者識別情報、データ加工のための生体情報演算式、生体情報検出端末識別情報の少なくともいずれか１つからなるデータ構造を有するＲＯＭと、
前記生体デジタル信号あるいは前記生体デジタル信号加工データからなる生体デジタルデータを一定時間記憶するＲＡＭを備える第１のメモリ部と、前記生体情報監視装置から受信した生体情報検出端末制御データかあるいは前記生体情報検出端末に前記装着者が設定した制御内容に基づいて生体情報検出センサ部を構成する前記各生体情報検出センサの駆動を制御する生体情報センサ制御部と、前記生体情報監視装置とデータを送信または受信する生体情報データ送受信部と、前記Ａ／Ｄ変換部と、前記第１のメモリ部と、前記生体デジタル信号制御部と、前記生体情報センサ制御部と、前記生体情報データ送受信部とを制御する第１の中央処理部とから構成されることを特徴とする生体情報検出端末制御システムである。
【００１８】
本発明の第４の態様は、第３の態様において、前記生体情報検出端末が、前記生体デジタルデータと予め設定されている値の範囲とを比較し、当該比較結果を出力する第１の生体情報データ判定部と、該比較結果に基づいて、前記生体情報検出センサの駆動を制御する生体情報検出センサ制御部を有し、前記生体情報検出センサ制御部が、前記生体情報監視装置から受信した生体情報検出端末制御データかあるいは前記第１の生体情報データ判定部からの判定値かあるいは前記装着者が設定した制御内容に基づいて前記各生体情報検出センサの駆動を制御することを特徴とする生体情報検出端末制御システムである。
【００１９】
本発明の第５の態様は、第４の態様において、前記生体情報検出端末の前記生体デジタル信号制御部は、前記生体デジタル信号に対してデータの加工を行う生体デジタルデータ加工機能を有し、前記生体デジタルデータ加工機能により得られた生体デジタル信号加工データあるいは前記生体デジタル信号からなる生体デジタルデータを前記ＲＡＭに一定時間記憶し、あらかじめ決められたタイミングあるいは前記生体情報監視装置が送信したポーリング命令を受信したときに、前記生体デジタルデータか、前記装着者識別情報の少なくともいずれか一方からなる第１の正常時送信データを生体情報監視装置に送信する、通常時生体情報伝送機能を有することを特徴とする生体情報検出端末制御システムである。
【００２０】
本発明の第６の態様は、第５の態様において、前記生体情報検出端末は、前記第１の生体情報データ判定部において前記生体デジタルデータの値が予め設定された値の範囲外である場合、前記生体情報検出端末の前記第１の生体情報データ判定部から異常を示す異常信号が出力され、直ちに前記異常信号と前記装着者識別情報と前記生体デジタルデータとからなる第１の異常時送信データを前記生体情報監視装置に送信し、前記生体デジタルデータの値が予め設定された値の範囲内である場合、前記異常時送信データを消去するか、あるいは前記ＲＡＭに一定時間記憶し、あらかじめ決められたタイミングあるいは前記生体情報監視装置が送信したポーリング命令を受信したときに、前記第１の正常時送信データを生体情報監視装置に送信する、異常時生体情報伝送機能を有することを特徴とする生体情報検出端末制御システムである。
【００２１】
本発明の第７の態様は、第２の態様において、前記生体情報検出端末が、通常時に駆動する、少なくとも一つの通常時駆動生体情報検出センサと、通常時は電源が供給されずにパワーセーブ状態にある、少なくとも一つのパワーセーブ生体情報検出センサにより構成されることを特徴とする生体情報検出端末制御システムである。
【００２２】
本発明の第８の態様は、第２の態様において、前記生体情報検出端末が、通常時に駆動する、少なくとも一つの通常時駆動生体情報検出センサと、通常時は断続的に駆動する状態にある、少なくとも一つの断続駆動生体情報検出センサにより構成されることを特徴とする生体情報検出端末制御システムである。
【００２３】
本発明の第９の態様は、第７の態様において、前記生体情報センサ制御部は、前記第１の生体情報データ判定部の出力値が前記異常出力値である場合に、前記パワーセーブ生体情報検出センサに電力を供給して駆動させることを特徴とする生体情報検出端末制御システムである。
【００２４】
本発明の第１０の態様は、第８の態様において、前記生体情報センサ制御部は、前記第１の生体情報データ判定部の出力値が前記異常出力値である場合に、断続駆動生体情報検出センサの計測間隔、計測時間あるいはデータサンプリング周波数の少なくともいずれか１つ駆動方法で制御することを特徴とする生体情報検出端末制御システムである。
【００２５】
本発明の第１１の態様は、第２の態様において、前記生体情報検出端末は、前記第１の生体情報データ判定部の出力結果に基づいて、前記生体情報センサから第１の生体情報検出センサを選択し、前記生体情報検出端末の前記生体情報データ送受信部を介して前記生体情報監視装置へ該選択結果を送信することを特徴とする生体情報検出端末制御システムである。
【００２６】
本発明の第１２の態様は、第２の態様において、前記生体情報検出端末が、押下することでセンサの動作制御を行うことができるコールボタンを備えたことを特徴とする生体情報検出端末制御システムである。
【００２７】
本発明の第１３の態様は、第２の態様において、前記生体情報検出端末は、前記生体情報検出センサが検出した前記生体情報信号に基づいて、前記生体情報監視装置に前記生体情報データを送信するか、あるいは前記生体情報検出端末自身の命令によって前記生体情報検出センサの駆動を制御することを特徴とする生体情報検出端末制御システムである。
【００２８】
本発明の第１４の態様は、第２の態様において、前記生体情報検出端末の生体情報検出センサ部を構成するセンサのうち少なくとも１つ生体情報検出センサが、脈拍を検出するセンサであることを特徴とする生体情報検出端末制御システムである。
【００２９】
本発明の第１５の態様は、第２の態様において、前記生体情報検出端末の生体情報検出センサ部を構成するセンサのうち少なくとも１つ生体情報検出センサが、血糖値あるいは血中グルコース濃度を検出するセンサであることを特徴とする生体情報検出端末制御システムである。
【００３０】
本発明の第１６の態様は、第２の態様において、前記生体情報検出端末の生体情報検出センサ部を構成するセンサのうち少なくとも１つ生体情報検出センサが、前記装着者の運動状態を検出するセンサであることを特徴とする生体情報検出端末制御システムである。
【００３１】
本発明の第１７の態様は、第２の態様において、前記生体情報監視装置は、前記生体情報検出端末との間で前記生体情報データを送受信するための第２の送受信部と、前記生体情報検出センサ各々に関して受信した前記生体デジタルデータを加工して第２の生体デジタル信号加工データを作成する生体デジタル信号加工データ作成部と、前記生体情報監視装置に固有の生体情報監視装置識別情報と、データ加工のための演算式、前記生体情報検出センサ各々に関して受信した前記生体情報データあるいは前記第２の生体情報加工データからなる第２の生体情報データについて予め設定された値の範囲と、前記生体情報検出端末のＲＯＭに記録される前記装着者識別情報から装着者を特定するためのテーブルの少なくともいずれか１つからなるデータ構造のデータを有するＲＯＭと、前記第２の生体情報データを一定時間保存するＲＡＭを備える第２のメモリ部と、前記生体情報検出端末の制御方法を判定し、また前記生体情報検出端末が送信した第１の異常時送信データを受信したときに前記第２の生体情報データと前記ＲＯＭに保存された予め設定された値の範囲とを比較して判定する第２の生体情報データ判定部と、前記第２の生体情報データ判定部の判定結果に基づいて前記生体情報検出端末を制御するための生体情報検出端末制御データを作成する第１の生体情報検出端末制御部と、前記ホストサーバとの間を公衆回線で接続する為の第１の公衆回線接続部と、前記第２の送受信部と、前記第２のメモリ部と、前記第２の判定部と、第２の信号制御部と、前記第１の生体情報検出端末制御部と、前記第１の公衆回線接続部とを制御する為の第２の中央処理部とから構成されることを特徴とする生体情報検出端末制御システムである。
【００３２】
本発明の第１８の態様は、第１７の態様において、前記生体情報監視装置は、前記第２の生体情報データが前記第２の生体情報データ判定部により予め設定された値の範囲外と判定されたときは、前記第１の公衆回線接続部を介して前記ホストサーバへ、異常を示す信号および前記装着者識別情報と前記生体情報監視装置識別情報と前記第２の生体情報データとからなる第２の異常時送信データを前記生体情報検出端末に送信し、さらに前記第２の生体情報データが前記第２の生体情報データ判定部により予め設定された値の範囲内と判定されたときは、前記ＲＡＭに一定時間前記第２の生体情報データを記憶し、予め決められたタイミングあるいは前記ホストサーバからのポーリング命令の受信に応じて前記ＲＡＭに前記保存された前記第２の生体情報データと、前記ＲＯＭに記録された前記装着者識別情報および前記生体情報監視装置識別情報からなる第２の正常時送信データを前記第１の公衆回線接続部を介して前記ホストサーバへ送信することを特徴とする生体情報検出端末制御システムである。
【００３３】
本発明の第１９の態様は、第１７の態様において、前記生体情報監視装置は、前記第２の生体情報データが前記第２の生体情報データ判定部により予め設定された値の範囲外と判定され、前記第２の異常時送信データが前記ホストサーバへ送信される場合、前記第２の生体情報データ判定部は、異常を示す前記生体情報検出センサの種類、予め設定された値の範囲に対する前記第２の生体情報データの差分との少なくともいずれかを基準として異常レベルを決定する機能を有し、前記生体デジタル信号加工データ作成部が該異常レベルに応じた異常信号を前記第２の異常時送信データに付加し、前記第２の送受信部が前記第２の異常時送信データを送信することを特徴とする生体情報検出端末制御システムである。
【００３４】
本発明の第２０の態様は、第１７の態様において、前記第１の生体情報検出端末制御部は、前記第２の送受信部から受信した前記装着者識別情報をもとに、前記生体情報検出端末の備える前記生体情報検出センサのうち、前記第１の通常時駆動生体情報検出センサと、通常時は電源が供給されずにパワーセーブ状態にあるか、あるいは断続的に駆動する前記第２の生体情報検出センサを選択し決定する第１のセンサ決定手段と、前記センサ決定手段で決定された結果に基づいて、前記生体情報検出端末へ前記第２の異常時送信データを送信することを特徴とする生体情報検出端末制御システムである。
【００３５】
本発明の第２１の態様は、第１７の態様において、前記第１の生体情報検出端末制御部は、前記第２の送受信部が前記生体情報検出端末から前記第１の異常時送信データを受信すると、前記生体情報検出端末に備えられた前記通常時にパワーセーブ状態にある前記第２の生体情報検出センサの中から、駆動すべき前記生体情報検出センサを選択し、決定する第１の決定手段と、前記選択された前記第２の生体情報検出センサを動作させる信号を発生する前記第１の制御信号発生手段とを備えたことを特徴とする生体情報検出端末制御システムである。
【００３６】
本発明の第２２の態様は、第１７の態様において、前記第１の生体情報検出端末制御部は、前記第２の送受信部が前記生体情報検出端末から前記第１の異常時送信データを受信すると、前記生体情報検出端末内の通常時に断続的に駆動する前記第２の生体情報検出センサから計測間隔、計測時間あるいはデータサンプリング周波数の少なくともいずれか１つを変更すべき前記生体情報検出センサを選択、決定する第１の決定手段と、該第１の決定手段の結果に応じて、選択された前記第２の生体情報検出センサの計測間隔、計測時間あるいはデータサンプリング周波数の少なくともいずれか１つを変更する信号を発生する前記第１の制御信号発生手段とを備えたことを特徴とする生体情報検出端末制御システムである。
【００３７】
本発明の第２３の態様は、第１７の態様において、前記生体情報監視装置が、押下することでセンサの動作制御を行うことができるコールボタンを備えたことを特徴とする生体情報検出端末制御システムである。
【００３８】
本発明の第２４の態様は、第２の態様において、前記生体情報監視装置が、前記生体情報検出端末の検出した信号に応じてセンサの動作制御を行うことを特徴とする生体情報検出端末制御システムである。
【００３９】
本発明の第２５の態様は、第２の態様において、前記生体情報検出端末内の前記生体情報センサ制御部あるいは前記生体情報監視装置内の第１の生体情報検出端末制御部は、前記第１の生体情報検出センサの出力が予め設定された値の範囲外であると判定された場合に、前記第２の生体情報検出センサの計測間隔を通常時より短くするよう制御することを特徴とする生体情報検出端末制御システムである。
【００４０】
本発明の第２６の態様は、第２の態様において、前記生体情報検出端末内の前記生体情報センサ制御部あるいは前記生体情報監視装置内の前記第１の生体情報検出端末制御部は、前記第１の生体情報検出センサの出力が予め設定された値の範囲外であると判定された場合に、前記第２の生体情報検出センサの計測時間を通常時より長くするように制御することを特徴とする生体情報検出端末制御システムである。
【００４１】
本発明の第２７の態様は、第２の態様において、前記生体情報検出端末内の前記生体情報センサ制御部あるいは前記生体情報監視装置の備える第１の生体情報検出端末制御部は、前記第１の生体情報検出センサの出力が異常であると判定された場合に、前記第２の生体情報検出センサのデータサンプリング周波数を通常時より高くするように制御することを特徴とする生体情報検出端末制御システムである。
【００４２】
本発明の第２８の態様は、第２の態様において、前記生体情報検出端末の備える前記生体情報検出センサ制御部あるいは前記生体情報監視装置の備える前記第１の生体情報検出端末制御部は、前記第１の判定部あるいは前記第２の判定部により前記第１の生体情報検出センサの出力が予め設定された値の範囲外と判定され、計測間隔、計測時間あるいはデータサンプリング周波数の少なくともいずれか１つが制御された前記第２の生体情報検出センサに対し、前記第１の生体情報検出センサの出力が再度予め設定された値の範囲内と判定された場合、前記第２の生体情報検出センサの制御を予め設定された基準の制御状態に戻すことを特徴とする生体情報検出端末制御システムである。
【００４３】
本発明の第２９の態様は、第２の態様において、前記第１の生体情報検出端末制御部は、定期的に前記生体情報検出端末内の前記各生体情報検出センサの故障状態あるいは駆動状態を確認する動作確認信号を発生する第１のセンサ動作確認信号発生手段と、前記生体情報検出端末の備える前記生体情報検出センサ制御部が該動作確認信号に応じて前記各生体情報検出センサの故障状況あるいは駆動状況を確認して、送信するセンサ動作確認結果信号を受信した後に、前記生体情報検出センサ動作確認結果信号から前記センサの故障状況あるいは駆動状況を判定する第１の駆動状況判定手段を備えたことを特徴とする生体情報検出端末制御システムである。
【００４４】
本発明の第３０の態様は、第２の態様において、前記ホストサーバは、前記生体情報監視装置から送信される前記装着者識別情報と前記生体情報監視装置識別情報から装着者を特定するためのテーブルと前記ポーリングのタイミングとが予め記録されているＲＯＭと、前記生体情報監視装置から送信される第２の生体情報データを保存するＲＡＭを備える第３のメモリ部と、前記生体情報監視装置から公衆回線を介して送信された第２の正常時送信データあるいは第２の異常時送信データを受信し、また前記生体情報監視装置に対して前記ホストサーバに備えられるＲＯＭに予め記録されているポーリングのタイミングでポーリング命令を送信するための第２の公衆回線接続部と、前記生体情報監視装置から受信した前記第２の正常時送信データあるいは前記異常時送信データを表示するための表示部と、前記生体情報監視装置から受信した前記第２の正常時送信データあるいは前記異常時送信データを第３のメモリ部に保存するか、前記表示部に表示するかを決定して信号を制御する第３の信号制御部と、前記生体情報検出端末を制御するための信号を発生するための第２の生体情報検出端末制御部と、前記第３のメモリ部と、前記第２の公衆回線接続部と、前記表示部と、前記第３の信号制御部と前記第２の生体情報検出端末制御部とを制御する為の第３の中央処理部とから構成されることを特徴とする生体情報検出端末制御システムである。
【００４５】
本発明の第３１の態様は、第３０の態様において、前記第２の生体情報検出端末制御部は、前記第２の公衆回線接続部が受信した、前記生体情報監視装置固有の識別情報と前記装着者識別情報から、前記生体情報検出端末の備える前記生体情報検出センサのうち、通常時駆動する前記第１の生体情報検出センサと、通常時は電源が供給されずにパワーセーブ状態にあるか、あるいは断続的に駆動する前記第２の生体情報検出センサを決定する前記第２の決定手段と、前記生体情報検出端末へ直接に送信するか、あるいは前記生体情報監視装置へ送信される、センサ制御信号を発生する第２の制御信号発生手段とを備えたことを特徴とする生体情報検出端末制御システムである。
【００４６】
本発明の第３２の態様は、第３１の態様において、前記第２の生体情報検出端末制御部は、定期的に前記生体情報検出端末の備える前記各生体情報検出センサの故障状態あるいは駆動状態を確認する動作確認信号を発生する第２の生体情報検出センサ動作確認信号発生手段と、前記生体情報検出端末の備える前記生体情報検出センサ制御部が前記動作確認信号に応じて各生体情報検出センサの故障状況あるいは駆動状況を確認して、送信する生体情報検出センサ動作確認結果信号を受信した後に、前記生体情報検出センサ動作確認結果信号から該センサの故障状況あるいは駆動状況を判定する第２の駆動状況判定手段を備えたことを特徴とする生体情報検出端末制御システムである。
【００４７】
本発明の第３３の態様は、第３２の態様において、前記生体情報検出端末の備える前記第１の判定部あるいは前記生体情報監視装置の備える前記第２の判定部は、前記第１の生体情報検出センサからの出力信号が、予め設定された基準値範囲を超えた場合、あるいは前記生体情報検出センサからの前回の出力信号との差が予め設定された変動範囲を超えた場合に前記出力信号が異常であることを判定することを特徴とする生体情報検出端末制御システムである。
【発明の効果】
【００４８】
本発明の生体情報検出端末制御システムでは、生体情報検出端末に備えられた生体情報検出センサのＯＮ／ＯＦＦを該生体情報検出端末から送信される装着者の識別情報をもとに、前記生体情報監視装置側で制御することで、異なる生体情報が必要な装着者であっても生体情報検出端末は全て同じ構成とすることができるため、生体情報検出端末製造のプロセスを簡略化することができる。
【００４９】
本発明の生体情報検出端末制御システムでは、生体情報検出端末に備えられた生体情報検出センサは、常時駆動する第１の生体情報検出センサと通常パワーセーブ状態にあるかあるいは断続的に計測する第２の生体情報検出センサで構成され、第２の生体情報検出センサのＯＮ／ＯＦＦあるいは動作制御方法を、該生体情報検出端末から送信される第１の生体情報検出センサの出力に応じて前記生体情報監視装置側で制御することで、生体情報検出端末に備えられた全ての生体情報検出センサを常時駆動させる必要がなく、消費電力やデータ容量を削減することができる。
【００５０】
本発明の生体情報検出端末制御システムでは、生体情報検出端末に備えられた生体情報検出センサの駆動状況、故障状況を確認する信号を、前記生体情報監視装置側から定期的に発信することで、特に通常パワーセーブ状態にあるかあるいは断続的に計測する生体情報検出センサの故障状況を把握することができるため、装着者が異常状態となり、通常パワーセーブ状態にある生体情報検出センサを駆動させなければならないときに、該生体情報検出センサが故障している、という状況を回避することができ、システムの信頼性を向上させることができる。特徴とする生体情報検出端末制御システムである。
【発明を実施するための最良の形態】
【００５１】
以下、本発明の好適な実施の形態について、図面を参照しつつ詳細に説明する。
（第１の実施形態）
図１は、本発明の生体情報検出端末制御システム１の構成を示すブロック図であり、本発明の基本形例である。図１において、本発明の生体情報検出端末制御システム１は、大別して、少なくとも１つの生体情報検出センサ５−１から５−Ｎと処理／送信手段６とからなる後述する生体情報検出端末２と、前記生体情報検出端末２から送信された第１の正常時送信データあるいは第１の異常時送信データである、前記第１の送信データを受信する後述する生体情報監視装置３と、前記生体情報監視装置３から送信された第２の正常時送信データあるいは第２の異常時送信データである、前記第２の送信データを受信するホストサーバ４と、前記生体情報検出端末２と前記生体情報監視装置３の間を結ぶ双方向通信手段７と、公衆回線８とから構成している。ここで、前記生体情報検出端末２は、使用者に携帯される形態をとっても良いし、据え置き型の形態であっても良い。同様に前記生体情報監視装置３に関しても携帯型の形態をとっても据え置き型の形態をとっても良い。また、前記双方向通信手段７は双方向に通信するものであれば方式は問わず無線であっても有線であっても良いが、好ましくは例えばＲＦＭ方式やＢｌｕｅｔｏｏｔｈTMなどの無線の通信手段を用いることができる。前記公衆回線８は、有線電話回線をはじめ、携帯電話回線、ＰＨＳ回線、光ＬＡＮケーブル等、公衆の回線であれば問題なく用いることができる。
【００５２】
以下、前記生体情報検出端末２と前記生体情報監視装置３と前記ホストサーバ４の構成の、第１の実施形態を説明する。図２は前記生体情報検出端末２の構成を示したブロック図であり本発明の生体情報検出端末制御システムにおける生体情報検出端末の基本形例である。
【００５３】
図２において本発明の生体情報検出端末制御システムの構成要素である生体情報検出端末２は、生体情報を検出するＮ個のセンサ群５−１から５−Ｎ（但しＮは少なくとも１である。）からなるセンサ部１２と、センサ部１２を処理／送受信手段６へ接続するためのコネクタ部１６と、センサ部１２から得られた生体情報を生体デジタル信号に変換するためのＡ／Ｄ変換部２６と、生体デジタル信号に対してデータの加工を行って第1の加工データを作成し、信号制御を行う、第1の信号制御部５６と、生体デジタル信号あるいは第１の加工データからなる前記第１のデータの予め設定された値の範囲と装着者に固有の識別情報が記録されているＲＯＭ４６−１と、前記第1のデータを一時保存するＲＡＭ４６−２を備えた第１のメモリ部４６と、外部からの要求、命令に従ってセンサ部１２の生体情報検出センサの制御を行うセンサ制御部６６と、外部と信号の送受信を行う、第１の送受信部７６と、Ａ／Ｄ変換部２６、第1のメモリ部４６と、第1の信号制御部５６と、センサ制御部６６と、第1の送受信部７６とを制御する第１の中央処理部３６で構成される。
【００５４】
ここで、センサ部１２は、血圧計、血中酸素飽和度計、皮膚インピーダンス計、発汗量計、体重計、運動量計、体温計、血中グルコース濃度を測定するグルコースセンサなど装着者の生理情報あるいは運動情報を検出するものであれば、全て適用可能であるが、例えば脈拍や運動にともなう加速度を検出するセンサを用いることができる。ここで脈拍を検出するセンサとしては、例えばトランスデューサとしての圧電素子を駆動して超音波を生体に送信して反射波を得、この反射波から脈拍を検出するようなものや、医師が使用する聴診器のような心拍を検出するものによって得られた心拍音を電気信号に変換して心拍または脈拍を検出するようなもの、また光電脈波方式により指先や耳朶で脈拍を検出するようなもの、更には胸部に電極を装着して心拍を検出するようなものというように、脈拍や心拍を検出して電気信号に変換するものであれば、すべて適用可能である。また加速度を検出するセンサとしては、圧電型や静電容量型をはじめとして、加速度を検出することができる構造ならば全て適用可能である。さらに運動を検出するのに、加速度の他に角速度や角加速度を検出しても良い。
【００５５】
また、第１のメモリ部４６に内蔵されているＲＯＭ４６−１には、装着者あるいは／かつ端末に固有の識別番号が記録されているほかに、装着者の住所、氏名、年齢、電話番号、血液型、病歴、かかりつけ医の氏名、かかりつけ医の連絡先等の個人情報や、センサ部１２で検出され、ＲＡＭ４６−２に一時記録されている前記第１のデータを第１の送受信部７６から外部の生体情報監視装置あるいはサーバへ送信されるタイミングや送信先の生体情報監視装置あるいはサーバを特定する識別情報が記録されていても良い。
【００５６】
前記第1の信号制御部５６では、前記生体デジタル信号に対してデータの加工を行う、第1のデータ加工機能と、後述する第1の正常時送信データを外部へ送信する通常時生体情報伝送機能を備えている。まずデータ加工機能について実際の例を挙げて説明する。第１のデータに含まれる生体デジタル信号と第１の加工データは、例えば検出する生体情報が脈である場合、センサの検出する脈波波形が生体デジタル信号に相当し、前記脈波波形のピーク間隔から計算して得られる１分間の脈拍数が第１の加工データに相当する。検出する生体情報が加速度である場合、センサの検出する加速度波形が生体デジタル信号に相当し、前記加速度波形のピーク間隔から計算して得られる１分間のピッチ数や、波形から識別される例えば転倒などの行動情報や、波形から計算される運動量などが第１の加工データに相当する。このように血圧、血中酸素飽和度、皮膚インピーダンス、発汗、体重、体温、血中グルコース濃度など装着者の健康状態を表すいかなるセンサについても、生体情報検出センサから得られる生のデータをデジタル変換したデータが生体デジタル信号、該生体デジタル信号に対して、後述する処理を行って得られた結果が第1の加工データであり、前記生体デジタル信号と、前記第1の加工データの少なくともいずれか一方からなるデータを第1のデータと称する。生体デジタル信号に対する加工方法としては、任意の時間ごとに平均値やデータのばらつき、最大値、最小値などの統計的処理を行うこともできるし、また高速フーリエ変換などの数学的処理、波形解析などの処理を行うこともできる。後述する第２のデータを構成する生体デジタル信号と第２の加工データについても第１のデータと同様の関係がある。
【００５７】
また、ＲＡＭ４６−２に一時記録された前記第１のデータと、ＲＯＭ４６−１に記録されているあらかじめ決められた装着者に固有の識別情報との少なくともいずれか１つからなる第１の正常時送信データ０１０を第1の送信データとして、ＲＯＭ４６−１に記録されているあらかじめ決められた送信タイミングに従って定期的に第１の送受信部７６から外部の生体情報監視装置あるいはサーバへ送信するように信号を制御する、通常時生体情報伝送機能を有する。第１の正常時送信データの送信は、ＲＯＭ４６−１に記録されたタイミングに従うほかに、外部の生体情報監視装置あるいはサーバから送信要求があったときに送信しても良い。図１７（ａ）に第１の正常時送信データ０１０のデータ構造の一例を示す。前記第１の正常時送信データは例えば、ヘッダ１１０、装着者識別番号２１０、装置識別番号３１０のあとに、第１のセンサの生体デジタル信号４１０、第１のセンサの第１の加工データ５１０、第２のセンサの生体デジタル信号６１０、第２のセンサの第１の加工データ７１０というようにセンサごとに生体デジタル信号と第１の加工データが連続して記録されているデータ構造をとってもよい。図１７（ａ）に示したデータ構造は一例であり、記載されているデータの順序が変更されても良いし、データ構造も階層型、ネットワーク型、リレーショナル型などいずれのデータ構造を取っても良く、図１３に記載された形式に限定されるものではない。
【００５８】
また、センサ制御部６６はセンサ部１２に含まれるセンサ群５−１から５−Ｎに対して、外部の生体情報監視装置あるいはサーバからの要求に従い、駆動する第１の生体情報検出センサと決定されたセンサには常時電源を供給し、パワーセーブ状態にある第２の生体情報検出センサと決定されたセンサには、電源を供給しない制御を行う。
【００５９】
また、センサ制御部６６はセンサ部１２に含まれるセンサ群５−１から５−Ｎに対して、外部の生体情報監視装置あるいはサーバからの要求に従い、第１の生体情報検出センサは常時駆動し、第２の生体情報検出センサは断続的に駆動するように制御されるように決定されても良い。この場合、第１の生体情報検出センサには常時電源が供給され、第２の生体情報検出センサは、予め設定された計測間隔、計測時間、データサンプリング周波数で断続的に計測が行われるように制御されても良い。
【００６０】
さらに、センサ制御部６６はセンサ部１２に含まれるセンサ群５−１から５−Ｎに対して、外部の生体情報監視装置あるいはサーバからの要求に従い、第１の生体情報検出センサと第２の生体情報検出センサのいずれもが断続的に駆動するように決定されても良い。この場合、第１の生体情報検出センサの計測間隔は第２の生体情報検出センサの計測間隔と同じか短く設定され、第１の生体情報検出センサの計測時間は第２の生体情報検出センサの計測時間と同じか長く設定され、データサンプリング周波数は第２の生体情報検出センサのデータサンプリング周波数と同じか高く設定される。
【００６１】
図１０は、前記計測間隔、計測時間、データサンプリング周波数についての説明をするための説明図である。図１０（ａ）は、ある一定時間、断続的にデータを計測する様子を示した一例であり、図１０（ｂ）は、図１０（ａ）の中でデータを計測している領域を拡大して示す説明図である。ここで計測間隔とは、前回の測定から次回の測定までの時間間隔のことを示し、図１０（ａ）における時間ＴＩを指す。また測定時間とは、１回の測定に要する時間のことを示し、図１０（ａ）における時間ＴＴを指す。またデータサンプリング周波数とは、１回の測定中のデータ取得の頻度を示し、図１０（ｂ）における時間ＴＳの逆数で表される。
【００６２】
第１の生体情報検出センサと、第２の生体情報検出センサの組み合わせとしては、例えば第１の生体情報検出センサとして、装着者の行動や運動を検出するための加速度センサや角速度、角加速度センサからなる行動センサを用い、第２の生体情報検出センサとして装着者の脈情報や血圧情報を検出する脈センサや血圧計といった循環動態を検出するセンサを用いることができる。または、第１の生体情報検出センサとして同様に前記行動センサを用いて、第２の生体情報検出センサとして血中グルコース濃度を検出する血中グルコース濃度センサあるいは血糖値センサや体温を検出する体温計を用いることもできる。さらに第１の生体情報検出センサとして前記脈センサや血圧センサといった循環動態を検出するセンサを用い、第２の生体情報検出センサとして、前記血糖値センサや前記体温計を用いてもよい。
【００６３】
このように第１の生体情報検出センサとしては、データの時間に対する変化率の大きい検出対象を検出するセンサを選択し、第２の生体情報検出センサとしては、第１の生体情報検出センサの検出対象に比してデータの時間に対する変化率の小さい検出対象を検出する生体情報検出センサを選択すれば、前記例に挙げた各センサの組み合わせに限定されることはない。例えば前記組み合わせ例の変形例として、就寝時は日中に比べて体の動きが極度に少なく、時間に対する変化率が小さいため、より前記変化率の大きい脈センサが第１の生体情報検出センサとして選択され、行動センサが第２の生体情報検出センサとして選択されてもよい。
【００６４】
さらに平常時に第１の生体情報検出センサ、第２の生体情報検出センサともに断続的に駆動する例において、前記第１の生体情報検出センサ、第２の生体情報検出センサの計測間隔や計測時間、データサンプリング周波数といった生体情報検出センサの動作制御の方法は、生体情報検出センサとして何が選択されても予め固定された動作制御方法が用いられても良いし、選択される生体情報検出センサごとに異なった動作制御方法が設定されても良い。
【００６５】
さらに、前記第１の生体情報検出センサと第２の生体情報検出センサの選択と、各生体情報検出センサの動作制御方法の設定は、外部の生体情報監視装置あるいはサーバからの要求を受けるほかに、生体情報検出端末に図示しない操作部があり、生体情報検出端末から直接設定される構成としても良い。
【００６６】
図４は図１の生体情報検出端末制御システムにおいて前記生体情報監視装置３の構成を示したブロック図であり本発明の生体情報検出端末制御システムにおける生体情報監視装置の基本形例である。
【００６７】
図４において本発明の生体情報検出端末制御システムの構成要素である生体情報監視装置３は、前記生体情報検出端末２と信号の送受信を行う第２の送受信部１３と、第２の送受信部１３によって受信した第１の正常時送信データに対して判定／処理する第２の判定部７３および第２の中央処理部２３と、受信した前記第１のデータに対してデータ加工を行い、第２の加工データを作成して信号制御を行う、第２の信号制御部４３と、前記生体情報検出端末２から受信した装着者に固有の識別情報から装着者および装着者の個人情報を特定することを目的としたテーブルと、生体情報監視装置に固有の識別情報と、前記生体デジタル信号あるいは前記第２の加工データからなる第２のデータの正常範囲とが記録されているＲＯＭ３３−１と、第２のデータあるいは前記判定部７３および第２の中央処理部２３において処理された処理結果の少なくともいずれか一方を一時保存するためのＲＡＭ３３−２を備えた第２のメモリ部３３と、前記生体情報検出端末から受信した装着者に固有の識別情報から該生体情報検出端末の装着者ごとに前記第１の生体情報検出センサと第２の生体情報検出センサを選択して決定する第１の決定手段５３−１と前記決定された結果を前記生体情報検出端末へ送信するための信号を発生する第１の制御信号発生手段５３−２からなる第１の生体情報検出端末制御部５３と、公衆回線を介して外部のサーバと信号を送受信するための第１の公衆回線接続部６３とで構成される。
【００６８】
前記第１のデータの加工方法としては、任意の時間ごとに平均値やデータのばらつき、最大値、最小値などの統計的処理を行うこともできるし、また高速フーリエ変換等の数学的処理、波形解析等の処理を行うこともできる。
【００６９】
また、第２のメモリ部３３に内蔵されているＲＯＭ３３−１には、前記テーブルと前記識別番号のほかに、生体情報検出端末に対するポーリングのタイミングが記録されていても良い。
【００７０】
図１４は生体情報監視装置３のＲＯＭ３３−１に予め記録されているデータ００と、そのデータ構造の一例を示したものである。データ００は大きく分けてヘッダ１０と個人情報データセル群２０と判定基準データセル群３０と装置情報データセル群４０の少なくともいずれか1つからなる。このうち個人情報データセル群２０の内容の一例を図１４（ａ）に示す。前記個人情報データセル群２０には例えば予め登録されている装着者ごとに、装着者識別番号、装着者の氏名、生年月日、住所、電話番号、血液型、病歴、かかりつけ医の氏名、かかりつけ医の連絡先などの装着者の個人情報が記録されており、前記生体情報検出端末２から受信した装着者に固有の識別情報から装着者および装着者の個人情報を特定するためのテーブルを形成している。また同様に判定基準データセル群３０の内容の一例を図１４（ｂ）に示す。前記判定基準データセル群３０には例えば、後述するデータ加工の演算式、生体デジタル信号の値の範囲、第２の加工データの値の範囲、生体デジタル信号の値の変動範囲、第２の加工データの値の変動範囲など判定の基準となるリファレンスが記録されている。さらに装置情報データセル群４０の内容の一例を図１４（ｃ）に示す。前記装置情報データセル群４０には例えば、装置の識別番号、データ送信元である生体情報検出端末の識別番号一覧、前記生体情報検出端末２のＲＡＭ４６−２に一時記録されている前記第１のデータを生体情報監視装置へ送信するように要求するポーリングのタイミング、前記生体情報検出端末２に接続されているセンサの一覧などが記録されている。図１４のデータ内容およびデータ構造は一例であり、図１４に列挙したデータ内容から変更があっても良いし、データ構造も階層型、ネットワーク型、リレーショナル型などいずれのデータ構造を取っても良く、図１４に記載された形式に限定されるものではない。
【００７１】
第２の判定部７３および第２の中央処理部２３では、前記第２のデータに対して、判定を行っても良いし、行わなくても良い。判定を行う場合は、予めＲＯＭ３３−１に前記第２のデータの正常範囲として予め設定された値の範囲を記録しておき、これと第２のデータを比較して異常判定を行うことができる。前記第２のデータの正常範囲としては、例えば検出する生体情報が脈拍である場合１分間に５０拍から１００拍、血圧である場合最高血圧１３０ｍｍＨｇ／最低血圧８５ｍｍＨｇ以下、加速度である場合２Ｇ以下というように一般的な正常範囲を設定してもよいし、後述するホストサーバに記録されている装着者個人の、第２のデータの履歴から求めた平均値Ｍに対して標準偏差σを用いて、例えばＭ±σあるいはＭ±２σを正常範囲として設定して、ホストサーバから生体情報監視装置へ送信して前記メモリ部３３に記録されてもよい。さらに、前回の出力信号との差が予め設定された変動範囲を超えた場合に出力信号が異常であると判定されるアルゴリズムを用いてもよい。
【００７２】
前記第１の決定手段によって前記第１の生体情報検出センサ、第２の生体情報検出センサを選択決定する決定基準は、前記第１の生体情報検出センサとして、電力消費の少ない受動センサで、かつ装着者の異常状態もしくは異常の前兆状態を検知することのできるセンサが選択される。さらに第２の生体情報検出センサの検出対象に比して、時間に対する変化率が大きいデータを検出するセンサが選択される場合もある。例えば第１の生体情報検出センサとして転倒を検出することのできる加速度センサを用いることができる。また、例えば糖尿病患者にとっては血糖値が、高血圧患者にとっては血圧が、四肢のリハビリ患者にとっては加速度が、長時間監視する必要のある生体情報であるように、装着者によって長時間監視の必要な生体情報が異なることを考慮して、装着者に固有の識別情報から、装着者にとって最も監視計測の必要なセンサを第１の生体情報検出センサとして設定し、その他のセンサを第２の生体情報検出センサとして選択決定することもできる。
【００７３】
また、第２の信号制御部４３では、ＲＡＭ３３−２に一時記録された前記第２のデータとＲＯＭ３３−１に記録された装着者に固有の識別情報と生体情報監視装置に固有の識別情報と、前記判定部７３および中央処理部２３で判定された正常／異常であることを示す信号からなる第２の送信データをＲＯＭ３３−１に記録された送信タイミングに従って定期的に第１の公衆回線接続部６３から外部のサーバへ送信するように信号を制御する。前記第２の送信データの送信は、ＲＯＭ３３−１に記録されたタイミングに従うほかに、外部のサーバから送信要求があったときに送信しても良い。
【００７４】
図６は図１の生体情報検出端末制御システムにおいて前記ホストサーバ４の構成を示したブロック図であり本発明の生体情報検出端末制御システムにおけるホストサーバの基本形例である。
【００７５】
図６において本発明の生体情報検出端末制御システムの構成要素であるホストサーバ４は、前記生体情報監視装置３と公衆回線を介して信号の送受信を行う第２の公衆回線接続部１４と、前記第２の公衆回線接続部１４から受信した第２の送信データに含まれる第２のデータに対して判定／処理する第３の判定部７４および第３の中央処理部２４と、前記生体情報監視装置３から受信した前記装着者に固有の識別情報あるいは／かつ前記生体情報監視装置に固有の識別情報から装着者および装着者の個人情報を特定することを目的としたテーブルと、ホストサーバに固有の識別情報とが記録されているＲＯＭ３４−１と、受信した第２の送信データに含まれる第２のデータを保存してデータベース化するためのＲＡＭ３４−２を備えた第３のメモリ部３４と、前記第２のデータあるいは前記第３の判定部７４および第３の中央処理部２４によって判定された判定結果の少なくともいずれかを表示して可視化するためのモニタ部６４と、前記第２のデータおよび前記判定結果をメモリに保存するか、モニタに表示するか、もしくはその両方を行うか、を決定して信号を制御する第３の信号制御部４４と、前記生体情報検出端末２から受信した装着者に固有の識別情報から該生体情報検出端末の装着者ごとに前記第１の生体情報検出センサと第２の生体情報検出センサを選択して決定する第２の決定手段５４−１と前記決定された結果を前記生体情報検出端末へ送信するための信号を発生する第２の制御信号発生手段５４−２からなる第２の生体情報検出端末制御部５４とで構成される。
【００７６】
モニタ部６４は前記生体情報監視装置に直接接続されていてもよいし、ネットワークを介して接続された端末装置であってもよい。
【００７７】
また、第３の判定部７４および第３の中央処理部２４では、予めＲＯＭ３４−１に受信した第２の送信データに含まれる第２のデータの正常範囲として予め設定された値の範囲を記録しておき、これと前記第２のデータを比較して異常判定を行うことができる。前記第２のデータの正常範囲に関しては、前述した生体情報監視装置３のＲＯＭ３３−１に記録されている正常範囲と同様であるので、重複を避ける為に割愛する。
【００７８】
また前記第２のデータに対して任意の時間ごとに平均値やデータのばらつき、最大値、最小値などの統計的処理を行うこともできるし、また高速フーリエ変換等の数学的処理、波形解析等の処理を行うこともできる。
（第２の実施形態）
全体の構成は第１の実施形態と同じく図１に示された構成であるので、説明は割愛する。以下、前記生体情報検出端末２と前記生体情報監視装置３と前記ホストサーバ４の構成の、第２の実施形態を説明する。図３は前記生体情報検出端末２の構成を示したブロック図であり本発明の生体情報検出端末制御システムにおける生体情報検出端末の変形例である。
【００７９】
図３と図２を比較すればわかるように、図３に示す構成と図２に示す構成とでは、第１の判定部の有無が異なるだけで、その他の構成については全く同じ構成である。従って、構成、機能、動作が同じ構成要素については、同一の引用符号を記し、機能及び動作についての説明は重複を避けるために省略する。ここでは、図２に示す生体情報検出端末２とは異なる構成要素の第１の判定部８６と、図２に示す生体情報検出端末２とは異なる動作を示すセンサ制御部６６と第１のメモリ部４６と第１の信号制御部５６について説明する。  第１の判定部８６は、前記センサ制御部６６により常時駆動あるいは断続的に駆動するように制御された前記第1の生体情報検出センサの出力から得られた第１のデータに対して、後述するＲＯＭ４６−１に記録されている正常範囲として予め設定された値の範囲と比較して、その結果をもとに後述する第１の信号制御部５６にて信号の送信モードを変更する。また、判定基準は第１の実施形態における第２の判定部７３で用いられる判定基準と同様とすることができるので、重複を避ける為にここでは割愛する。
【００８０】
第１の信号制御部５６は、前記第１の判定部８６において前記第１のデータが予め設定された値の範囲外と判定された場合は、直ちに異常を示す信号、前記装着者に固有の識別情報、前記第1のデータの少なくともいずれかからなる第1の異常時送信データを外部に送信するように信号を制御する。また第1の判定部８６において前記第1のデータが予め設定された範囲内と判定された場合は、第1の実施形態と同様に、ＲＯＭ４６−１に記録されているポーリングのタイミングか、あるいは前記生体情報監視装置３からの送信要求に応じて、正常を示す信号、前記装着者に固有の識別情報、前記第1のデータの少なくともいずれかからなる第1の正常時送信データを外部に送信するように、前記第1の信号制御部５６は信号を制御する。
【００８１】
図１７は第１の送信データのデータ構造を示す図である。図１７（ａ）は第１の正常時送信データのデータ構造の一例であり、第１の実施形態における説明と重複するので割愛する。図１７（ｂ）は第１の異常時送信データ０１１のデータ構造の一例である。前記第１の異常時送信データ０１１は例えば、ヘッダ１１１、異常信号２１１、装着者識別番号３１１、装置識別番号４１１のあとに、第１のセンサの生体デジタル信号５１１、第１のセンサの第１の加工データ６１１、第２のセンサの生体デジタル信号７１１、第２のセンサの第１の加工データ８１１というようにセンサごとに生体デジタル信号と第１の加工データが連続して記録されているデータ構造をとってもよい。図１７（ａ）に示したデータ構造は一例であり、記載されているデータの順序が変更されても良いし、データ構造も階層型、ネットワーク型、リレーショナル型などいずれのデータ構造を取っても良く、図１３に記載された形式に限定されるものではない。
【００８２】
図３においてセンサ制御部６６は、まずセンサ部１２に含まれるセンサ群５−１から５−Ｎに対して、外部の生体情報監視装置３あるいはホストサーバ４からの要求に従い、駆動する第１の生体情報検出センサと決定されたセンサには常時電源を供給し、パワーセーブ状態にあるかあるいは断続的に駆動するように制御される第２の生体情報検出センサと決定されたセンサに対しては、予め設定された動作制御方法で制御を行う。または前記第１の生体情報検出センサと第２の生体情報検出センサのいずれもが断続的に駆動する場合は、それぞれの生体情報検出センサについて、予め設定された動作制御方法で制御を行う。
【００８３】
生体情報監視装置３が第１の異常時送信データを受信した場合、あるいはホストサーバ４が後述する第２の異常時送信データを受信した場合、後述する生体情報検出端末制御部５３あるいは後述する生体情報制御部５４からの要求を受けて、生体情報検出端末２のセンサ制御部６６は、センサ動作を以下のように制御する。
【００８４】
センサ制御部６６は、外部の生体情報監視装置３あるいはホストサーバ４からの要求に従い、前記第２の生体情報検出センサの中で、平常時と異なる動作制御方法を行うように決定されたセンサに対して予め設定された制御を行う。予め設定された制御の例としては、例えば前記第２の生体情報検出センサが平常時にパワーセーブ状態である場合は、電源が供給されるように制御され、前記第２の生体情報検出センサが平常時に断続的に駆動する場合は、計測間隔、計測時間、データサンプリング周波数が制御される。ここでいう計測間隔、計測時間、データサンプリング周波数の言葉の定義は、第１の実施形態に示したものと同一であるため、重複を避けるために説明を省略する。特に、計測間隔は平常時よりも短く、計測時間は平常時よりも長く、データサンプリング周波数は平常時よりも高く制御される。
【００８５】
さらにセンサ制御部６６によって、第２の生体情報検出センサの制御方式が平常時と異なるように制御される場合、前記第１の判定部８６は第２の生体情報検出センサの出力に対して、前記ＲＯＭ４６−１に記録されている予め設定された値の範囲と比較して、異常判定することもできる。
【００８６】
また、前記例ではセンサ制御部６６は、外部の生体情報監視装置３あるいはホストサーバ４からの要求で、センサ動作を制御することを特徴としているが、第１の判定部８６の判定結果を受けて、生体情報検出端末３自身が単独でセンサ制御部６６によってセンサの動作を制御してもよい。このときの動作制御方法は、前述した方法と同一であるので重複を避けるため、ここでは割愛する。
【００８７】
また、前記例では第１の生体情報検出センサの検出したデータが、予め設定された値の範囲外となり、異常と判定されたときのセンサ制御部６６の制御方法に関して記載されているが、再び第１の生体情報検出センサあるいは第２の生体情報検出センサの検出したデータが予め設定された値の範囲内となった時には、前記センサ制御部６６は、前記第１の生体情報検出センサあるいは第２の生体情報検出センサの動作を、予め設定された基準の動作制御状態に戻すことができる。
【００８８】
また、前記生体情報検出端末２は図示しないイベントボタンを備えており、前記例で前記センサ制御部６６によって第２の生体情報検出センサの動作制御方法を変更するトリガとして、第１の生体情報検出センサ出力を用いたところを、イベントボタンを押下することで代替することもできる。
【００８９】
ここまでで、システムの構成要素ごとに本発明の生体情報検出端末制御システム１の機能と構成の特徴を説明したが、図１１、図１２においては、前述した前記生体情報検出端末２と前記生体情報監視装置３の間の制御フローをチャート図で示して説明する。
【００９０】
図１１は生体情報検出端末制御システム１における、生体情報検出端末２と生体情報監視装置３の間の制御フローの基本形例である。まずＳ１１において、予め生体情報検出端末２の備える各生体情報検出センサの動作制御を生体情報監視装置３からの命令で行う。Ｓ２１では電源を入れるか否かの判定を行い、電源ＯＦＦと決定された場合、Ｓ４１で当該生体情報検出センサには電源が供給されず、センサパワーセーブ状態となり、電源ＯＮと決定された場合、Ｓ３１でさらにセンサの計測間隔、計測時間、データサンプリング周波数がそれぞれ前述の動作制御内容で制御される。次にＳ５１で駆動する生体情報検出センサからアナログ信号が検出され、Ｓ６１で生体デジタル信号へ変換、Ｓ７１で前記第１の加工データが作成される。Ｓ６１、Ｓ７１でそれぞれ得られた生体デジタル信号、第１の加工データは併せて第１のデータとして、Ｓ８１で生体情報検出端末のＲＯＭに記録されている予め設定された値の範囲と比較され、Ｓ９１で範囲内である場合、Ｓ１０１で正常と判定されＳ１２１で予め設定されたタイミングまたは生体情報監視装置からのポーリング命令を受けて、正常時送信データを送信する。さらにＳ９１にて範囲外であった場合、Ｓ１１１で異常と判定され、Ｓ１９１で直ちに異常時送信データを送信する。Ｓ１２１あるいはＳ１９１で送信された第１の送信データは、生体情報監視装置においてＳ１３１で監視端末のＲＯＭに記録されている予め設定された値の範囲と比較され、Ｓ１４１で範囲内であった場合は、Ｓ１５１で正常と判定され、またＳ１４１で範囲外であった場合はＳ１６１で異常と判定され、Ｓ１７１においてそれぞれ前述の動作制御内容でセンサの動作制御内容が設定され、Ｓ１１において生体情報検出端末の備える生体情報検出センサの動作が制御される。また生体情報監視装置はＳ１８１で、一時的にデータを保存することができる。
【００９１】
図１２は生体情報検出端末制御システム１における、生体情報検出端末２と生体情報監視装置３の間の制御フローの変形例の一例である。図１２は、生体情報検出端末において判定を行わず、生体情報検出端末で検出、加工されたデータは第１の送信データとして生体情報監視装置に送信され、生体情報監視装置において判定を一括して行う制御フローとなっており、図１１におけるＳ８１、Ｓ９１、Ｓ１０１、Ｓ１１１、Ｓ１９１の各ステップを削除した制御フローとなる。図１２におけるＳ１１ないしＳ１８１は、図１１における各ステップと同じ内容であるので、同一の引用符号を記し、説明は重複を避けるために割愛する。
【００９２】
以上、図１１と図１２では制御フローの基本形例と変形例の一例をチャート図として示し説明したが、前記制御フローに限定されるものではなく、前記各構成における変形例を反映した制御フローが構成されても良い。
【００９３】
また図１５、図１６では、それぞれ生体情報検出端末２の備える第１の判定部、生体情報監視装置３の備える第２の判定部における判定フローをチャート図にして示す。
【００９４】
図１５では、生体情報検出端末２の備える第１の判定部におけるフローを説明する。まずＳ１３で検出された生体デジタル信号とＲＯＭに記録されている生体デジタル信号の値の範囲とを比較し、Ｓ２３で範囲外である場合、Ｓ１０３で異常と判定されＳ１２３で直ちに異常時送信データが送信される。Ｓ２３で範囲内である場合、Ｓ３３で第１の加工データとＲＯＭに記録されている第１の加工データの値の範囲とを比較し、Ｓ４３で範囲外である場合、Ｓ１０３で異常と判定されＳ１２３で直ちに異常時送信データが送信される。Ｓ４３で範囲内である場合、Ｓ５３で検出された生体デジタル信号の時間変化量とＲＯＭに記録されている生体デジタル信号の値の変動範囲を比較し、Ｓ６３で範囲外である場合、Ｓ１０３で異常と判定されＳ１２３で直ちに異常時送信データが送信される。Ｓ６３で範囲内である場合、第１の加工データの時間変化量とＲＯＭに記録されている第１の加工データの値の変動範囲を比較し、Ｓ８３で範囲外である場合、Ｓ１０３で異常と判定されＳ１２３で直ちに異常時送信データが送信される。Ｓ８３で範囲内である場合は、Ｓ９３で正常と判定されＳ１１３で予め設定されたタイミング、あるいは外部からのポーリング命令を受けて正常時送信データを送信する。
【００９５】
図１６では、生体情報監視装置３の備える第２の判定部におけるフローを説明する。図１６は、Ｓ３４、Ｓ７４で第２の加工データに対して判定を行っていることと、Ｓ１１４で生体情報検出端末の備える各センサの動作制御を設定し、Ｓ１２４で制御信号を生体情報検出端末へ送信する以外は、判定フローとしては図１５と同一であるので、重複を避け説明を割愛する。
【００９６】
以上、図１５と図１６では判定フローの基本形例と変形例の一例をチャート図として示し説明したが、前記判定フローに限定されるものではなく、前記各構成における変形例を反映した判定フローが構成されても良い。
【００９７】
さらに、外部の生体情報監視装置あるいはサーバの要求に従い、センサ部１２を構成するセンサ群５−１から５−Ｎのうち、特に第２の生体情報検出センサに対して、故障状況を確認する制御を行う。故障状況の判定は、前記第１の判定部８６において行う。判定の方法は後述する。
【００９８】
第1の判定部８６は、センサ制御部６６でセンサに対して故障状況を確認する制御を行う場合に、該センサに電源を供給したときのセンサの出力から正常な出力か、異常な出力かを判定することで該センサの故障状況を判定する。センサの故障状況の判定基準は、例えばＲＯＭ４６−１に各センサに電源を供給した時の正常な初期信号を記録しておき、実際にセンサに電源を供給した時のセンサ出力をデジタル信号に変換した信号を前記ＲＯＭ４６−１に記録された正常な初期信号と比較して、一致するか１０％以内の誤差であれば正常、１０％以上のばらつきをもつかあるいは信号が得られない場合は故障状態と判定することができる。前述した故障検出のためのばらつきの範囲は一例であって、これに限定されるものではない。
【００９９】
第１のメモリ部４６のＲＯＭ４６−１は、装着者に固有の識別情報のほかに前記生体情報検出センサ各々に関して前記生体デジタル信号あるいは前記第１の加工データの少なくともいずれかからなる第１のデータの正常範囲として予め設定された値の範囲が記録されている。
【０１００】
図１３は生体情報検出端末２のＲＯＭ４６−１に予め記録されているデータ０９と、そのデータ構造の一例を示したものである。データ０９は大きく分けてヘッダ１９と個人情報データセル群２９と判定基準データセル群３９と装置情報データセル群４９の少なくともいずれか1つからなる。このうち個人情報データセル群２９の内容の一例を図１３（ａ）に示す。前記個人情報データセル群２９には例えば装着者識別番号、装着者の氏名、生年月日、住所、電話番号、血液型、病歴、かかりつけ医の氏名、かかりつけ医の連絡先などの装着者の個人情報が記録されていてもよい。また同様に判定基準データセル群３９の内容の一例を図１３（ｂ）に示す。前記判定基準データセル群３９には例えば、後述するデータ加工の演算式、生体デジタル信号の値の範囲、第１の加工データの値の範囲、生体デジタル信号の値の変動範囲、第１の加工データの値の変動範囲など判定の基準となるリファレンスが記録されていてもよい。さらに装置情報データセル群４９の内容の一例を図１３（ｃ）に示す。前記装置情報データセル群４９には例えば、装置の識別番号、データ送信先の生体情報監視装置識別番号、ＲＡＭ４６−２に一時記録されている前記第１のデータを第１の送受信部７６から外部の生体情報監視装置あるいはサーバへ送信されるタイミング、接続されているセンサの一覧などが記録されていても良い。図１３のデータ内容およびデータ構造は一例であり、図１３に列挙したデータ内容から変更があっても良いし、データ構造も階層型、ネットワーク型、リレーショナル型などいずれのデータ構造を取っても良く、図１３に記載された形式に限定されるものではない。
【０１０１】
前記第１のデータの正常範囲は、第１の実施形態に記載の、第２のデータの正常範囲としての予め設定された値の範囲と同様に設定するので重複を避ける為にここでは割愛する。
【０１０２】
図５は図１における前記生体情報監視装置３の構成を示したブロック図であり本発明の生体情報検出端末制御システムにおける生体情報監視装置の変形例である。
【０１０３】
図５と図４を比較すればわかるように、図５に示す構成と図４に示す構成とでは、第１の生体情報検出端末制御部の構成が異なるだけで、その他の構成については全く同じ構成である。従って、構成、機能、動作が同じ構成要素については、同一の引用符号を記し、機能及び動作についての説明は重複を避けるために省略する。ここでは、図４に示す生体情報監視装置３とは異なる構成要素の生体情報検出端末制御部５３と、図４に示す生体情報監視装置３とは異なる動作を示す第２の信号制御部４３と第２の判定部７３と第２の中央処理部２３と、について説明する。
【０１０４】
図５の生体情報検出端末制御部５３において、第１の決定手段５３−１は、前記生体情報検出端末から受信した装着者に固有の識別情報から該生体情報検出端末の装着者に通常必要な第１の生体情報検出センサと装着者に通常必要のない第２の生体情報検出センサを選択して決定する。さらに、前記第２の送受信部１３が生体情報検出端末２から異常信号を受信した時に、第２の生体情報検出センサから動作制御方法を変更するセンサを選択して決定する。また第１の制御信号発生手段５３−２は、前記第１の決定手段により決定された第２の生体情報検出センサの制御方法を信号として前記生体情報検出端末２へ送信するための制御信号を発生する。制御の内容としては、選択された第２の生体情報検出センサが平常時パワーセーブ状態にある場合は、電源を供給するように、平常時断続的に駆動する場合は、計測間隔を短く、計測時間を長く、データサンプリング周波数を高くするように制御する。さらに、前記第１の制御信号発生手段５３−２を動作させるトリガとして、前記例では生体情報検出端末２からの異常信号としているが、これを生体情報監視装置３が備える図示しないイベントボタンを押下することで代替させることもできる。
【０１０５】
さらに、生体情報検出端末制御部５３において、第１のセンサ動作確認信号発生手段５３−３は、前記生体情報検出端末のセンサ部に属する生体情報検出センサ群の中で、第２の生体情報検出センサ、すなわち前記生体情報監視装置が前記第２の送受信部１３から異常信号を受信したときに駆動するセンサとして選択、決定される前記第２の生体情報検出センサに対して、例えば一日一回、１０秒間というように予め決められたタイミングに、予め決められた時間、故障状況を確認する命令を発生し、生体情報検出端末へ送信する。また、第１の駆動状況判定手段５３−４は、前記故障状況確認命令に応じて、前記第２の送受信部１３から受信された信号から、生体情報検出端末に備えられた前記センサの動作状況および故障状況を判定することができる。
【０１０６】
また第２の判定部７３および第２の中央処理部２３は、前記生体情報検出端末の備える生体情報検出センサ群のうち、第１の生体情報検出センサから得られた第1のデータと、第２の生体情報検出センサからの第1のデータに対して、前記ＲＯＭ３３−１に記録された予め設定された値の範囲と比較して真の異常を判定することができる。前記予め設定された値の範囲は、第１の実施形態に示す正常範囲として予め設定された値の範囲と同様であり、また第２の判定部７３における判定基準も第１の実施形態に記載の第２の判定部７３における判定基準と同様であるので、重複を避けてここでは割愛する。
【０１０７】
また第２の信号制御部４３は、前記第２の判定部７３および前記第２の中央処理部２３により、真の異常と判定されたときは直ちに前記第１の公衆回線接続部６３を介して前記ホストサーバ４へ、前記第２の送信データを送信することができる。真の異常時に生体情報監視装置３がホストサーバ４へ送信する第２の送信データの他に、異常のレベルに応じた区別をつけた連絡信号を送ることもできる。さらに前記第２の判定部７３および前記第２の中央処理部２３により、真の異常と判定されなかった時は、第２のデータを正常なデータとしてＲＡＭ３３−２に記録して、ＲＯＭ３３−１にあらかじめ記録されているポーリングのタイミングあるいはホストサーバ４からの送信要求に応じて第２の送信データを送信してもよいし、生体情報検出端末２に対して再度計測して、得られた第１の送信データを再度送信するように要求することもできる。
【０１０８】
図７は図１における前記ホストサーバ４の構成を示したブロック図であり本発明の生体情報検出端末制御システムにおけるホストサーバの変形例である。
【０１０９】
図７と図６を比較すればわかるように、図７に示す構成と図６に示す構成とでは、第２の生体情報検出端末制御部の構成が異なるだけで、その他の構成については全く同じ構成である。図７の生体情報検出端末制御部５４は、第２の決定手段５４−１と、第２の制御信号発生手段５４−２と、第２のセンサ動作確認信号発生手段５４−３と、第２の駆動状況判定手段５４−４とから構成されており、それぞれの動作は図６に示す生体情報監視装置に備えられた第１の生体情報検出端末制御部における動作と同様であるので、動作、機能についての説明は重複を避けるために省略する。
【０１１０】
またホストサーバ４で分析された生体情報検出端末２の装着者の健康状態は、定期的に装着者自身へ情報発信されても良い。この場合、情報発信の方法は、電話、ファックス、電子メール、インターネットメール、電報等、通信手段であれば限定されない。
（第３の実施形態）
以下、本発明の第３の実施形態について、図面を参照しつつ詳細に説明する。図８は、本発明の生体情報検出端末制御システムの全体構成の変形例である。図８において、生体情報検出端末２と生体情報監視装置３が接続される構成を示す図であり、図８に示すように生体情報監視装置３から外部のサーバへ公衆回線を介して接続されていない構成としても良い。また生体情報検出端末２と生体情報監視装置３が公衆回線によって接続される構成であっても良い。さらに前記生体情報監視装置３は装着者に携帯される構成であっても良いし、据え置き型としても良い。またそれぞれ生体情報検出端末２と生体情報監視装置３の構成要素の構成、機能、動作は第１の実施形態あるいは第２の実施形態と同様であるので、重複を避ける為にここでは割愛する。
（第４の実施形態）
以下、本発明の第４の実施形態について、図面を参照しつつ詳細に説明する。図９は、本発明の生体情報検出端末制御システムの全体構成の変形例である。
【０１１１】
図９と図１を比較すればわかるように、図９に示す全体構成と図１に示す全体構成とでは、装着者に装着される生体情報検出端末２が単数か複数か、が異なるだけで、その他の構成については全く同じ構成である。従って、構成、機能、動作が同じ構成要素については、同一の引用符号を記し、機能及び動作についての説明は重複を避けるために省略する。
【０１１２】
図9において、生体情報検出端末２は装着者に分散配置され、それぞれの生体情報検出端末からの第１の送信データは生体情報監視装置３で一括して処理および一時記録される。処理の内容は、それぞれの生体情報検出端末に備えられた生体情報検出センサの出力ごとに、第1の実施形態あるいは第2の実施形態に記載された内容と同様の処理が行われるので、重複を避ける為にここでは詳細な説明を省略する。
【０１１３】
また同一装着者に装着されるＮ個の生体情報検出端末群２−1から２−２（但しＮは少なくとも２以上である。）は、少なくともひとつの電池で駆動して携帯することを特徴とする生体情報検出端末と、少なくともひとつの、商用電源に接続され据え置き型であることを特徴とする生体情報検出端末から構成されることができる。これにより、例えば就寝時など体の移動がない場合に、常時駆動するセンサとして例えば据え置き型の心拍計や呼吸計などの、商用電源に接続されるセンサを用いて、電池で駆動して携帯することを特徴とする生体情報検出端末を通常パワーセーブ状態とすることにより、携帯される生体情報検出端末を省電力駆動させることができる。
【図面の簡単な説明】
【０１１４】
【図１】本発明の生体情報検出端末制御システムの全体構成を示すブロック図である。
【図２】本発明の生体情報検出端末制御システムにおける生体情報検出端末の構成を示すブロック図である。
【図３】本発明の生体情報検出端末制御システムにおける生体情報検出端末の構成の変形例を示すブロック図である。
【図４】本発明の生体情報検出端末制御システムにおける生体情報監視装置の構成を示すブロック図である。
【図５】本発明の生体情報検出端末制御システムにおける生体情報監視装置の構成の変形例を示すブロック図である。
【図６】本発明の生体情報検出端末制御システムにおけるホストサーバの構成を示すブロック図である。
【図７】本発明の生体情報検出端末制御システムにおけるホストサーバの構成の変形例を示すブロック図である。
【図８】本発明の生体情報検出端末制御システムの全体構成の変形例を示すブロック図である。
【図９】本発明の生体情報検出端末制御システムの全体構成の変形例を示すブロック図である。
【図１０】本発明の生体情報検出端末制御システムにおける、計測間隔、計測時間、データサンプリング周波数を説明するための説明図である。
【図１１】本発明の生体情報検出端末制御システムにおける、生体情報検出端末と生体情報監視装置の間の制御フローを説明するチャート図である。
【図１２】本発明の生体情報検出端末制御システムにおける、生体情報検出端末と生体情報監視装置の間の制御フローの変形例を説明するチャート図である。
【図１３】本発明の生体情報検出端末制御システムにおける、生体情報検出端末の備えるメモリ部に記録されているデータの内容とデータ構造を示す説明図である。
【図１４】本発明の生体情報検出端末制御システムにおける、生体情報監視装置の備えるメモリ部に記録されているデータの内容とデータ構造を示す説明図である。
【図１５】本発明の生体情報検出端末制御システムにおける、生体情報検出端末の判定フローを説明するチャート図である。
【図１６】本発明の生体情報検出端末制御システムにおける、生体情報監視装置の判定フローを説明するチャート図である。
【図１７】本発明の生体情報検出端末制御システムにおける、生体情報検出端末から生体情報監視装置へ送信される送信データの内容とデータ構造を示す説明図である。
【符号の説明】
【０１１５】
１    生体情報検出端末制御システム
２    生体情報検出端末
３    生体情報監視装置
４    ホストサーバ
５−１〜５−Ｎ    生体情報検出センサ
６    処理／送受信手段
７    双方向通信手段
【図１】
2004216125.tif 000003
【図２】
2004216125.tif 000004
【図３】
2004216125.tif 000005
【図４】
2004216125.tif 000006
【図５】
2004216125.tif 000007
【図６】
2004216125.tif 000008
【図７】
2004216125.tif 000009
【図８】
2004216125.tif 000010
【図９】
2004216125.tif 000011
【図１０】
2004216125.tif 000012
【図１１】
2004216125.tif 000013
【図１２】
2004216125.tif 000014
【図１３】
2004216125.tif 000015
【図１４】
2004216125.tif 000016
【図１５】
2004216125.tif 000017
【図１６】
2004216125.tif 000018
【図１７】
2004216125.tif 000019
【手続補正書】
【提出日】平成15年10月10日(2003.10.10)
【手続補正１】
【補正対象書類名】特許請求の範囲
【補正対象項目名】全文
【補正方法】変更
【補正の内容】
【特許請求の範囲】
【請求項１】
少なくとも一つの生体情報検出センサを有し、前記生体情報検出センサが装着者の生体情報信号を検出し、生体情報データを生体情報監視装置に送信する手段を備えた生体情報検出端末と、 
前記生体情報検出端末から送信された前記生体情報データを受信した後、一定時間前記生体情報データを前記生体情報監視装置内の記憶装置に保存し、公衆回線を介して前記生体情報データをホストサーバに送信する手段を有する前記生体情報監視装置と、 
前記生体情報監視装置から前記生体情報データを受信した後、前記生体情報データを前記ホストサーバ内の記憶装置に保存し、または前記ホストサーバに直接、またはネットワークを介して接続された表示装置に前記生体情報データを表示することを特徴とする前記ホストサーバとから構成される生体情報検出端末制御システムにおいて、 
前記生体情報検出端末が生体情報信号を検出した後に、前記生体情報検出端末自身の動作を制御することを特徴とした生体情報検出端末制御システム。 
【請求項２】
少なくとも一つの生体情報検出センサを有し、前記生体情報検出センサが装着者の生体情報信号を検出し、生体情報データを生体情報監視装置に送信する手段を備えた生体情報検出端末と、 
前記生体情報検出端末から送信された前記生体情報データを受信した後、一定時間前記生体情報データを前記生体情報監視装置内の記憶装置に保存し、公衆回線を介して前記生体情報データをホストサーバに送信する手段を有する前記生体情報監視装置と、 
前記生体情報監視装置から前記生体情報データを受信した後、前記生体情報データを前記ホストサーバ内の記憶装置に保存し、または前記ホストサーバに直接、またはネットワークを介して接続された表示装置に前記生体情報データを表示することを特徴とする前記ホストサーバとから構成される生体情報検出端末制御システムにおいて、 
前記生体情報監視装置が前記生体情報検出端末から前記生体情報データを受信した後に、前記生体情報検出端末に対して前記生体情報検出端末の生体情報検出センサの駆動を制御する生体情報検出端末制御データを送信することを特徴とした生体情報検出端末制御システム。 
【請求項３】
前記生体情報検出端末が、少なくとも１つの生体情報検出センサと、 
前記生体情報検出センサから得られた生体アナログ信号を生体デジタル信号へ変換するＡ／Ｄ変換部と、 
前記生体デジタル信号を加工して生体デジタル信号加工データを作成し、さらに前記生体デジタル信号の制御を行う生体デジタル信号制御部と、 
前記装着者に固有の装着者識別情報、データ加工のための生体情報演算式、生体情報検出端末識別情報の少なくともいずれか１つからなるデータ構造を有するＲＯＭと、 
前記生体デジタル信号あるいは前記生体デジタル信号加工データからなる生体デジタルデータを一定時間記憶するＲＡＭを備える第１のメモリ部と、 
前記生体情報監視装置から受信した生体情報検出端末制御データかあるいは前記生体情報検出端末に前記装着者が設定した制御内容に基づいて生体情報検出センサ部を構成する前記各生体情報検出センサの駆動を制御する生体情報センサ制御部と、 
前記生体情報監視装置とデータを送信または受信する生体情報データ送受信部と、 
前記Ａ／Ｄ変換部と、前記第１のメモリ部と、前記生体デジタル信号制御部と、前記生体情報センサ制御部と、前記生体情報データ送受信部とを制御する第１の中央処理部とから構成されることを特徴とする請求項２に記載の生体情報検出端末制御システム。 
【請求項４】
前記生体情報検出端末が、前記生体デジタルデータと予め設定されている値の範囲とを比較し、当該比較結果を出力する第１の生体情報データ判定部と、 
該比較結果に基づいて、前記生体情報検出センサの駆動を制御する生体情報検出センサ制御部を有し、 
前記生体情報検出センサ制御部が、前記生体情報監視装置から受信した生体情報検出端末制御データかあるいは前記第１の生体情報データ判定部からの判定値かあるいは前記装着者が設定した制御内容に基づいて前記各生体情報検出センサの駆動を制御することを特徴とする請求項３に記載の生体情報検出端末制御システム。 
【請求項５】
前記生体情報検出端末の前記生体デジタル信号制御部は、前記生体デジタル信号に対してデータの加工を行う生体デジタルデータ加工機能を有し、 
前記生体デジタルデータ加工機能により得られた生体デジタル信号加工データあるいは前記生体デジタル信号からなる生体デジタルデータを前記ＲＡＭに一定時間記憶し、あらかじめ決められたタイミングあるいは前記生体情報監視装置が送信したポーリング命令を受信したときに、前記生体デジタルデータか、前記装着者識別情報の少なくともいずれか一方からなる第１の正常時送信データを生体情報監視装置に送信する、通常時生体情報伝送機能を有することを特徴とする請求項４に記載の生体情報検出端末制御システム。 
【請求項６】
前記生体情報検出端末は、前記第１の生体情報データ判定部において前記生体デジタルデータの値が予め設定された値の範囲外である場合、前記生体情報検出端末の前記第１の生体情報データ判定部から異常を示す異常信号が出力され、直ちに前記異常信号と前記装着者識別情報と前記生体デジタルデータとからなる第１の異常時送信データを前記生体情報監視装置に送信し、 
前記生体デジタルデータの値が予め設定された値の範囲内である場合、前記異常時送信データを消去するか、あるいは前記ＲＡＭに一定時間記憶し、あらかじめ決められたタイミングあるいは前記生体情報監視装置が送信したポーリング命令を受信したときに、前記第１の正常時送信データを生体情報監視装置に送信する、異常時生体情報伝送機能を有することを特徴とする請求項５に記載の生体情報検出端末制御システム。 
【請求項７】
前記生体情報検出端末が、通常時に駆動する、少なくとも一つの通常時駆動生体情報検出センサと、通常時は電源が供給されずにパワーセーブ状態にある、少なくとも一つのパワーセーブ生体情報検出センサにより構成されることを特徴とする請求項２に記載の生体情報検出端末制御システム。 
【請求項８】
前記生体情報検出端末が、通常時に駆動する、少なくとも一つの通常時駆動生体情報検出センサと、通常時は断続的に駆動する状態にある、少なくとも一つの断続駆動生体情報検出センサにより構成されることを特徴とする請求項２に記載の生体情報検出端末制御システム。 
【請求項９】
前記生体情報センサ制御部は、前記第１の生体情報データ判定部の出力値が前記異常出力値である場合に、前記パワーセーブ生体情報検出センサに電力を供給して駆動させることを特徴とする請求項７に記載の生体情報検出端末制御システム。 
【請求項１０】
前記生体情報センサ制御部は、前記第１の生体情報データ判定部の出力値が前記異常出力値である場合に、断続駆動生体情報検出センサの計測間隔、計測時間あるいはデータサンプリング周波数の少なくともいずれか１つ駆動方法で制御することを特徴とする請求項８に記載の生体情報検出端末制御システム。 
【請求項１１】
前記生体情報検出端末は、前記第１の生体情報データ判定部の出力結果に基づいて、前記生体情報センサから第１の生体情報検出センサを選択し、前記生体情報検出端末の前記生体情報データ送受信部を介して前記生体情報監視装置へ該選択結果を送信することを特徴とする請求項２に記載の生体情報検出端末制御システム。 
【請求項１２】
前記生体情報検出端末が、押下することでセンサの動作制御を行うことができるコールボタンを備えたことを特徴とする請求項２に記載の生体情報検出端末制御システム。 
【請求項１３】
前記生体情報検出端末は、前記生体情報検出センサが検出した前記生体情報信号に基づいて、前記生体情報監視装置に前記生体情報データを送信するか、あるいは前記生体情報検出端末自身の命令によって前記生体情報検出センサの駆動を制御することを特徴とする請求項２に記載の生体情報検出端末制御システム。 
【請求項１４】
前記生体情報検出端末の生体情報検出センサ部を構成するセンサのうち少なくとも１つ生体情報検出センサが、脈拍を検出するセンサであることを特徴とする請求項２に記載の生体情報検出端末制御システム。 
【請求項１５】
前記生体情報検出端末の生体情報検出センサ部を構成するセンサのうち少なくとも１つ生体情報検出センサが、血糖値あるいは血中グルコース濃度を検出するセンサであることを特徴とする請求項２に記載の生体情報検出端末制御システム。 
【請求項１６】
前記生体情報検出端末の生体情報検出センサ部を構成するセンサのうち少なくとも１つ生体情報検出センサが、前記装着者の運動状態を検出するセンサであることを特徴とする請求項２に記載の生体情報検出端末制御システム。 
【請求項１７】
前記生体情報監視装置は、前記生体情報検出端末との間で前記生体情報データを送受信するための第２の送受信部と、 
前記生体情報検出センサ各々に関して受信した前記生体デジタルデータを加工して第２の生体デジタル信号加工データを作成する生体デジタル信号加工データ作成部と、 
前記生体情報監視装置に固有の生体情報監視装置識別情報と、データ加工のための演算式、前記生体情報検出センサ各々に関して受信した前記生体情報データあるいは前記第２の生体情報加工データからなる第２の生体情報データについて予め設定された値の範囲と、前記生体情報検出端末のＲＯＭに記録される前記装着者識別情報から装着者を特定するためのテーブルの少なくともいずれか１つからなるデータ構造のデータを有するＲＯＭと、前記第２の生体情報データを一定時間保存するＲＡＭを備える第２のメモリ部と、 
前記生体情報検出端末の制御方法を判定し、また前記生体情報検出端末が送信した第１の異常時送信データを受信したときに前記第２の生体情報データと前記ＲＯＭに保存された予め設定された値の範囲とを比較して判定する第２の生体情報データ判定部と、 
前記第２の生体情報データ判定部の判定結果に基づいて前記生体情報検出端末を制御するための生体情報検出端末制御データを作成する第１の生体情報検出端末制御部と、 
前記ホストサーバとの間を公衆回線で接続する為の第１の公衆回線接続部と、 
前記第２の送受信部と、前記第２のメモリ部と、前記第２の判定部と、第２の信号制御部と、前記第１の生体情報検出端末制御部と、前記第１の公衆回線接続部とを制御する為の第２の中央処理部とから構成されることを特徴とする請求項２に記載の生体情報検出端末制御システム。 
【請求項１８】
前記生体情報監視装置は、前記第２の生体情報データが前記第２の生体情報データ判定部により予め設定された値の範囲外と判定されたときは、前記第１の公衆回線接続部を介して前記ホストサーバへ、異常を示す信号および前記装着者識別情報と前記生体情報監視装置識別情報と前記第２の生体情報データとからなる第２の異常時送信データを前記生体情報検出端末に送信し、 
さらに前記第２の生体情報データが前記第２の生体情報データ判定部により予め設定された値の範囲内と判定されたときは、前記ＲＡＭに一定時間前記第２の生体情報データを記憶し、予め決められたタイミングあるいは前記ホストサーバからのポーリング命令の受 
信に応じて前記ＲＡＭに前記保存された前記第２の生体情報データと、前記ＲＯＭに記録された前記装着者識別情報および前記生体情報監視装置識別情報からなる第２の正常時送信データを前記第１の公衆回線接続部を介して前記ホストサーバへ送信することを特徴とする請求項１７に記載の生体情報検出端末制御システム。 
【請求項１９】
前記生体情報監視装置は、前記第２の生体情報データが前記第２の生体情報データ判定部により予め設定された値の範囲外と判定され、前記第２の異常時送信データが前記ホストサーバへ送信される場合、 
前記第２の生体情報データ判定部は、異常を示す前記生体情報検出センサの種類、予め設定された値の範囲に対する前記第２の生体情報データの差分との少なくともいずれかを基準として異常レベルを決定する機能を有し、 
前記生体デジタル信号加工データ作成部が該異常レベルに応じた異常信号を前記第２の異常時送信データに付加し、前記第２の送受信部が前記第２の異常時送信データを送信することを特徴とする請求項１７に記載の生体情報検出端末制御システム。 
【請求項２０】
前記第１の生体情報検出端末制御部は、前記第２の送受信部から受信した前記装着者識別情報をもとに、前記生体情報検出端末の備える前記生体情報検出センサのうち、前記第１の通常時駆動生体情報検出センサと、通常時は電源が供給されずにパワーセーブ状態にあるか、あるいは断続的に駆動する前記第２の生体情報検出センサを選択し決定する第１のセンサ決定手段と、前記センサ決定手段で決定された結果に基づいて、前記生体情報検出端末へ前記第２の異常時送信データを送信することを特徴とする請求項１７に記載の生体情報検出端末制御システム。 
【請求項２１】
前記第１の生体情報検出端末制御部は、前記第２の送受信部が前記生体情報検出端末から前記第１の異常時送信データを受信すると、前記生体情報検出端末に備えられた前記通常時にパワーセーブ状態にある前記第２の生体情報検出センサの中から、駆動すべき前記生体情報検出センサを選択し、決定する第１の決定手段と、前記選択された前記第２の生体情報検出センサを動作させる信号を発生する前記第１の制御信号発生手段とを備えたことを特徴とする請求項１７に記載の生体情報検出端末制御システム。 
【請求項２２】
前記第１の生体情報検出端末制御部は、前記第２の送受信部が前記生体情報検出端末から前記第１の異常時送信データを受信すると、前記生体情報検出端末内の通常時に断続的に駆動する前記第２の生体情報検出センサから計測間隔、計測時間あるいはデータサンプリング周波数の少なくともいずれか１つを変更すべき前記生体情報検出センサを選択、決定する第１の決定手段と、該第１の決定手段の結果に応じて、選択された前記第２の生体情報検出センサの計測間隔、計測時間あるいはデータサンプリング周波数の少なくともいずれか１つを変更する信号を発生する前記第１の制御信号発生手段とを備えたことを特徴とする請求項１７に記載の生体情報検出端末制御システム。 
【請求項２３】
前記生体情報監視装置が、押下することでセンサの動作制御を行うことができるコールボタンを備えたことを特徴とする請求項１７に記載の生体情報検出端末制御システム。 
【請求項２４】
前記生体情報監視装置が、前記生体情報検出端末の検出した信号に応じてセンサの動作制御を行うことを特徴とする請求項２に記載の生体情報検出端末制御システム。 
【請求項２５】
前記生体情報検出端末内の前記生体情報センサ制御部あるいは前記生体情報監視装置内の第１の生体情報検出端末制御部は、前記第１の生体情報検出センサの出力が予め設定された値の範囲外であると判定された場合に、前記第２の生体情報検出センサの計測間隔を通常時より短くするよう制御することを特徴とする請求項２に記載の生体情報検出端末制御システム。 
【請求項２６】
前記生体情報検出端末内の前記生体情報センサ制御部あるいは前記生体情報監視装置内の前記第１の生体情報検出端末制御部は、前記第１の生体情報検出センサの出力が予め設定された値の範囲外であると判定された場合に、前記第２の生体情報検出センサの計測時間を通常時より長くするように制御することを特徴とする請求項２に記載の生体情報検出端末制御システム。 
【請求項２７】
前記生体情報検出端末内の前記生体情報センサ制御部あるいは前記生体情報監視装置の備える第１の生体情報検出端末制御部は、前記第１の生体情報検出センサの出力が異常であると判定された場合に、前記第２の生体情報検出センサのデータサンプリング周波数を通常時より高くするように制御することを特徴とする請求項２に記載の生体情報検出端末制御システム。 
【請求項２８】
前記生体情報検出端末の備える前記生体情報検出センサ制御部あるいは前記生体情報監視装置の備える前記第１の生体情報検出端末制御部は、前記第１の判定部あるいは前記第２の判定部により前記第１の生体情報検出センサの出力が予め設定された値の範囲外と判定され、計測間隔、計測時間あるいはデータサンプリング周波数の少なくともいずれか１つが制御された前記第２の生体情報検出センサに対し、前記第１の生体情報検出センサの出力が再度予め設定された値の範囲内と判定された場合、前記第２の生体情報検出センサの制御を予め設定された基準の制御状態に戻すことを特徴とする請求項２に記載の生体情報検出端末制御システム。 
【請求項２９】
前記第１の生体情報検出端末制御部は、定期的に前記生体情報検出端末内の前記各生体情報検出センサの故障状態あるいは駆動状態を確認する動作確認信号を発生する第１のセンサ動作確認信号発生手段と、 
前記生体情報検出端末の備える前記生体情報検出センサ制御部が該動作確認信号に応じて前記各生体情報検出センサの故障状況あるいは駆動状況を確認して、送信するセンサ動作確認結果信号を受信した後に、前記生体情報検出センサ動作確認結果信号から前記センサの故障状況あるいは駆動状況を判定する第１の駆動状況判定手段を備えたことを特徴とする請求項２に記載の生体情報検出端末制御システム。 
【請求項３０】
前記ホストサーバは、前記生体情報監視装置から送信される前記装着者識別情報と前記生体情報監視装置識別情報から装着者を特定するためのテーブルと前記ポーリングのタイミングとが予め記録されているＲＯＭと、前記生体情報監視装置から送信される第２の生体情報データを保存するＲＡＭを備える第３のメモリ部と、 
前記生体情報監視装置から公衆回線を介して送信された第２の正常時送信データあるいは第２の異常時送信データを受信し、また前記生体情報監視装置に対して前記ホストサーバに備えられるＲＯＭに予め記録されているポーリングのタイミングでポーリング命令を送信するための第２の公衆回線接続部と、 
前記生体情報監視装置から受信した前記第２の正常時送信データあるいは前記異常時送信データを表示するための表示部と、 
前記生体情報監視装置から受信した前記第２の正常時送信データあるいは前記異常時送信データを第３のメモリ部に保存するか、前記表示部に表示するかを決定して信号を制御する第３の信号制御部と、 
前記生体情報検出端末を制御するための信号を発生するための第２の生体情報検出端末制御部と、 
前記第３のメモリ部と、前記第２の公衆回線接続部と、前記表示部と、前記第３の信号制御部と前記第２の生体情報検出端末制御部とを制御する為の第３の中央処理部とから構成されることを特徴とする請求項２に記載の生体情報検出端末制御システム。 
【請求項３１】
前記第２の生体情報検出端末制御部は、前記第２の公衆回線接続部が受信した、前記生体情報監視装置固有の識別情報と前記装着者識別情報から、前記生体情報検出端末の備える前記生体情報検出センサのうち、通常時駆動する前記第１の生体情報検出センサと、通常時は電源が供給されずにパワーセーブ状態にあるか、あるいは断続的に駆動する前記第２の生体情報検出センサを決定する前記第２の決定手段と、前記生体情報検出端末へ直接に送信するか、あるいは前記生体情報監視装置へ送信される、センサ制御信号を発生する第２の制御信号発生手段とを備えたことを特徴とする請求項３０に記載の生体情報検出端末制御システム。 
【請求項３２】
前記第２の生体情報検出端末制御部は、定期的に前記生体情報検出端末の備える前記各生体情報検出センサの故障状態あるいは駆動状態を確認する動作確認信号を発生する第２の生体情報検出センサ動作確認信号発生手段と、前記生体情報検出端末の備える前記生体情報検出センサ制御部が前記動作確認信号に応じて各生体情報検出センサの故障状況あるいは駆動状況を確認して、送信する生体情報検出センサ動作確認結果信号を受信した後に、前記生体情報検出センサ動作確認結果信号から該センサの故障状況あるいは駆動状況を判定する第２の駆動状況判定手段を備えたことを特徴とする請求項３１に記載の生体情報検出端末制御システム。 
【請求項３３】
前記生体情報検出端末の備える前記第１の判定部あるいは前記生体情報監視装置の備える前記第２の判定部は、前記第１の生体情報検出センサからの出力信号が、予め設定された基準値範囲を超えた場合、あるいは前記生体情報検出センサからの前回の出力信号との差が予め設定された変動範囲を超えた場合に前記出力信号が異常であることを判定することを特徴とする請求項３２に記載の生体情報検出端末制御システム。 
【手続補正２】
【補正対象書類名】図面
【補正対象項目名】図１１
【補正方法】変更
【補正の内容】
【図１１】
2004216125.tif 000020
【手続補正３】
【補正対象書類名】図面
【補正対象項目名】図１２
【補正方法】変更
【補正の内容】
【図１２】
2004216125.tif 000021